(57)【要約】  本発明では無線通信システムにおける無線信号を送受信する方法及びそのための装置が開示される。  具体的に、無線通信システムで端末がチャンネル状態情報（channel state information、ＣＳＩ）報告（report）を遂行する方法において、前記方法は基地局から、アップリンク及び／又はダウンリンク転送のための帯域幅部分（bandwidth part、ＢＷＰ）に対するＢＷＰ設定情報を受信するステップと、前記基地局から、前記ＣＳＩ報告のための報告設定（reporting configuration）を含む報告設定情報（reporting configuration information）を受信するステップと、前記ＢＷＰ設定情報及び前記報告設定情報に基づいて、前記ＣＳＩ報告を遂行するステップを含み、かつ前記報告設定は前記帯域幅部分と関連（associate）し、前記報告設定を活性化（activation）するか否かは前記帯域幅部分を活性化するか否かに基づいて決定できる。【選択図】図１１
2021503814.tif 000002
【特許請求の範囲】
【請求項１】
無線通信システムで端末がチャンネル状態情報（channel state information、ＣＳＩ）報告（report）を遂行する方法において、
基地局から、アップリンク及び／又はダウンリンク転送のための帯域幅部分（bandwidth part、ＢＷＰ）に対するＢＷＰ設定情報を受信するステップと、
前記基地局から、前記ＣＳＩ報告のための報告設定（reporting configuration）を含む報告設定情報（reporting configuration information）を受信するステップと、
前記ＢＷＰ設定情報及び前記報告設定情報に基づいて、前記ＣＳＩ報告を遂行するステップとを含み、かつ
前記報告設定は前記帯域幅部分と関連（associate）し、
前記報告設定を活性化（activation）するか否かは前記帯域幅部分を活性化するか否かに基づいて決定されることを特徴とする、方法。
【請求項２】
前記ＣＳＩ報告は半−持続的（semi-persistent）に設定されたＣＳＩ報告であることを特徴とする、請求項１に記載の方法。
【請求項３】
前記ＣＳＩ報告は物理アップリンク共有チャンネル（physical uplink shared channel）を介して遂行されることを特徴とする、請求項２に記載の方法。
【請求項４】
前記帯域幅部分が不活性化（deactivation）される場合、前記報告設定は不活性化されることを特徴とする、請求項２に記載の方法。
【請求項５】
前記帯域幅部分を活性化するか否かは前記基地局による動的なシグナリング（dynamic signaling）を通じて設定されることを特徴とする、請求項４に記載の方法。
【請求項６】
前記報告設定は前記ＣＳＩ報告と関連した資源設定情報を含み、
前記資源設定情報は前記帯域幅部分に対する情報を含むことを特徴とする、請求項２に記載の方法。
【請求項７】
無線通信システムで基地局がチャンネル状態情報（channel state information、ＣＳＩ）を受信する方法において、
端末にアップリンク及び／又はダウンリンク転送のための帯域幅部分（bandwidth part、ＢＷＰ）に対するＢＷＰ設定情報を転送するステップと、
前記端末に前記ＣＳＩ報告のための報告設定（reporting configuration）を含む報告設定情報（reporting configuration information）を転送するステップと、
前記端末から、前記ＢＷＰ設定情報及び前記報告設定情報に基づいて前記ＣＳＩ報告を受信するステップとを含み、
前記報告設定は前記帯域幅部分と関連（associate）し、
前記報告設定を活性化（activation）するか否かは前記帯域幅部分を活性化するか否かに基づいて決定されることを特徴とする、方法。
【請求項８】
前記ＣＳＩ報告は半−持続的（semi-persistent）に設定されたＣＳＩ報告であることを特徴とする、請求項７に記載の方法。
【請求項９】
前記ＣＳＩ報告は物理アップリンク共有チャンネル（physical uplink shared channel）を介して遂行されることを特徴とする、請求項８に記載の方法。
【請求項１０】
前記帯域幅部分が不活性化（deactivation）される場合、前記報告設定は不活性化されることを特徴とする、請求項８に記載の方法。
【請求項１１】
前記帯域幅部分を活性化するか否かは前記基地局による動的なシグナリング（dynamic signaling）を通じて設定されることを特徴とする、請求項１０に記載の方法。
【請求項１２】
前記報告設定は前記ＣＳＩ報告と関連した資源設定情報を含み、
前記資源設定情報は前記帯域幅部分に対する情報を含むことを特徴とする、請求項８に記載の方法。
【請求項１３】
無線通信システムでチャンネル状態情報（channel state information、ＣＳＩ）報告（report）を遂行する端末において、
無線信号を送受信するためのＲＦ（Radio Frequency）ユニットと、
前記ＲＦユニットと機能的に連結されているプロセッサとを含み、
前記プロセッサは、
基地局から、アップリンク及び／又はダウンリンク転送のための帯域幅部分（bandwidth part、ＢＷＰ）に対するＢＷＰ設定情報を受信し、
前記基地局から、前記ＣＳＩ報告のための報告設定（reporting configuration）を含む報告設定情報（reporting configuration information）を受信し、
前記ＢＷＰ設定情報及び前記報告設定情報に基づいて、前記ＣＳＩ報告を遂行するように制御し、
前記報告設定は前記帯域幅部分と関連（associate）し、
前記報告設定を活性化（activation）するか否かは前記帯域幅部分を活性化するか否かに基づいて決定されることを特徴とする、端末。
【請求項１４】
前記ＣＳＩ報告は半−持続的（semi-persistent）に設定されたＣＳＩ報告であることを特徴とする、請求項１３に記載の端末。
【請求項１５】
前記ＣＳＩ報告は物理アップリンク共有チャンネル（physical uplink shared channel）を介して遂行されることを特徴とする、請求項１４に記載の端末。
【発明の詳細な説明】
【技術分野】
【０００１】
本発明は無線通信システムに関し、より詳しくは、チャンネル状態情報を送受信するための方法及びこれを支援する装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラヒックの増加によって資源の不足現象が引起こされ、ユーザがより高速のサービスを要求するので、より発展した移動通信システムが要求されている。
【０００３】
次世代の移動通信システムの要求条件は大きく、爆発的なデータトラヒックの収容、ユーザ当たり転送率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（ＮＯＭＡ：Non-Orthogonal Multiple Access）、超広帯域（Super wideband）支援、端末ネットワーキング（Device Networking）など、多様な技術が研究されている。
【発明の概要】
【発明が解決しようとする課題】
【０００４】
本明細書は、無線通信システムにおけるチャンネル状態情報（channel state information、ＣＳＩ）を送受信する方法を提案する。
【０００５】
具体的に、本明細書は半−持続的（semi-persistent）ＣＳＩ構成（configuration）を設定する方法を提案する。また、本明細書は半−持続的ＣＳＩ設定に対するダウンリンク制御情報（downlink control information）を識別する方法を提案する。また、本明細書は、半−持続的ＣＳＩ設定と帯域幅部分（bandwidth part、ＢＷＰ）との間の活性化（activation）／不活性化（deactivation）設定方法を提案する。また、本明細書はスロットフォーマット（slot format）及び／又はＴＤＤ（time division duplexing）構成と関連したＣＳＩ設定の確認方法を提案する。また、本明細書はＣＳＩ設定の有効性（validity）を処理する方法を提案する。
【０００６】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００７】
本発明の実施形態に従う無線通信システムで、端末がチャンネル状態情報（channel state information、ＣＳＩ）報告（report）を遂行する方法において、前記端末により遂行される方法は、基地局から、アップリンク及び／又はダウンリンク転送のための帯域幅部分（bandwidth part、ＢＷＰ）に対するＢＷＰ設定情報を受信するステップと、前記基地局から、前記ＣＳＩ報告のための報告設定（reporting configuration）を含む報告設定情報（reporting configuration information）を受信するステップと、前記ＢＷＰ設定情報及び前記報告設定情報に基づいて、前記ＣＳＩ報告を遂行するステップを含み、かつ前記報告設定は前記帯域幅部分と関連（associate）し、前記報告設定を活性化（activation）するか否かは前記帯域幅部分を活性化するか否かに基づいて決定できる。
【０００８】
また、本発明の実施形態に従う前記端末により遂行される方法において、前記ＣＳＩ報告は半−持続的（semi-persistent）に設定されたＣＳＩ報告でありうる。
【０００９】
また、本発明の実施形態に従う前記端末により遂行される方法において、前記ＣＳＩ報告は物理アップリンク共有チャンネル（physical uplink shared channel）を介して遂行できる。
【００１０】
また、本発明の実施形態に従う前記端末により遂行される方法において、前記帯域幅部分が不活性化（deactivation）される場合、前記報告設定は不活性化できる。
【００１１】
また、本発明の実施形態に従う前記端末により遂行される方法において、前記帯域幅部分の活性化するか否かは前記基地局による動的なシグナリング（dynamic signaling）を通じて設定できる。
【００１２】
また、本発明の実施形態に従う前記端末により遂行される方法において、前記報告設定は前記ＣＳＩ報告と関連した資源設定情報を含み、前記資源設定情報は前記帯域幅部分に対する情報を含むことができる。
【００１３】
本発明の実施形態に従う無線通信システムで、基地局がチャンネル状態情報（channel state information、ＣＳＩ）を受信する方法において、前記基地局により遂行される方法は、端末にアップリンク及び／又はダウンリンク転送のための帯域幅部分（bandwidth part、ＢＷＰ）に対するＢＷＰ設定情報を転送するステップと、前記端末に前記ＣＳＩ報告のための報告設定（reporting configuration）を含む報告設定情報（reporting configuration information）を転送するステップと、前記端末から前記ＢＷＰ設定情報及び前記報告設定情報に基づいて前記ＣＳＩ報告を受信するステップを含み、かつ前記報告設定は前記帯域幅部分と関連（associate）し、前記報告設定を活性化（activation）するか否かは前記帯域幅部分を活性化するか否かに基づいて決定できる。
【００１４】
また、本発明の実施形態に従う前記基地局により遂行される方法において、前記ＣＳＩ報告は半−持続的（semi-persistent）に設定されたＣＳＩ報告でありうる。
【００１５】
また、本発明の実施形態に従う前記基地局により遂行される方法において、前記ＣＳＩ報告は物理アップリンク共有チャンネル（physical uplink shared channel）を通じて遂行できる。
【００１６】
また、本発明の実施形態に従う前記基地局により遂行される方法において、前記帯域幅部分が不活性化（deactivation）される場合、前記報告設定は不活性化できる。
【００１７】
また、本発明の実施形態に従う前記基地局により遂行される方法において、前記帯域幅部分を活性化するか否かは前記基地局による動的なシグナリング（dynamic signaling）を通じて設定できる。
【００１８】
また、本発明の実施形態に従う前記基地局により遂行される方法において、前記報告設定は前記ＣＳＩ報告と関連した資源設定情報を含み、前記資源設定情報は前記帯域幅部分に対する情報を含むことができる。
【００１９】
本発明の実施形態に従う無線通信システムで、チャンネル状態情報（channel state information、ＣＳＩ）報告（report）を遂行する端末において、前記端末は無線信号を送受信するためのＲＦ（Radio Frequency）ユニットと前記ＲＦユニットと機能的に連結されているプロセッサを含み、前記プロセッサは基地局から、アップリンク及び／又はダウンリンク転送のための帯域幅部分（bandwidth part、ＢＷＰ）に対するＢＷＰ設定情報を受信し、前記基地局から、前記ＣＳＩ報告のための報告設定（reporting configuration）を含む報告設定情報（reporting configuration information）を受信し、前記ＢＷＰ設定情報及び前記報告設定情報に基づいて、前記ＣＳＩ報告を遂行するように制御し、かつ前記報告設定は前記帯域幅部分と関連（associate）し、前記報告設定を活性化（activation）するか否かは前記帯域幅部分を活性化するか否かに基づいて決定できる。
【００２０】
また、本発明の実施形態に従う前記端末において、前記ＣＳＩ報告は半−持続的（semi-persistent）に設定されたＣＳＩ報告でありうる。
【００２１】
また、本発明の実施形態に従う前記端末において、前記ＣＳＩ報告は物理アップリンク共有チャンネル（physical uplink shared channel）を通じて遂行できる。
【発明の効果】
【００２２】
本発明の実施形態によれば、端末が半−持続的（semi-persistent）にＣＳＩを報告できるように効果的なアップリンク資源（例：ＰＵＳＣＨ、ＰＵＣＣＨ資源）が割り当てできる効果がある。
【００２３】
また、本発明の実施形態によれば、ＣＳＩ転送のためのアップリンク資源割り当て（例：ＰＵＳＣＨ、ＰＵＣＣＨ資源）に用いられるダウンリンク制御情報（downlink control information、ＤＣＩ）を端末のブラインドデコーディング（blind decoding）を増加させない、かつ他のＤＣＩと区別できる効果がある。
【００２４】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２５】
本発明に関する理解を助けるために詳細な説明の一部として含まれる添付図面は、本発明に対する実施形態を提供し、詳細な説明と共に本発明の技術的特徴を説明する。
【００２６】
【図１】本明細書で提案する方法が適用できるＮＲの全体的なシステム構造の一例を示したものである。
【図２】本明細書で提案する方法が適用できる無線通信システムにおけるアップリンクフレームとダウンリンクフレームとの間の関係を示す。
【図３】ＮＲシステムにおけるフレーム構造の一例を示す。
【図４】本明細書で提案する方法が適用できる無線通信システムで支援する資源グリッド（resource grid）の一例を示す。
【図５】本明細書で提案する方法が適用できるアンテナポート及びヌメロロジー別の資源グリッドの例を示す。
【図６】本明細書で提案する方法が適用できる自己完結型（self-contained）構造の一例を示す。
【図７】ＣＳＩ関連手続きの一例を示す流れ図である。
【図８】ＰＵＳＣＨ基盤CSI reportingの情報ペイロード（payload）の一例を示す。
【図９】short PUCCH基盤CSI reportingの情報payloadに対する一例を示す。
【図１０】long PUCCH基盤CSI reportingの情報payloadに対する一例を示す。
【図１１】本明細書で提案する方法が適用できる無線通信システムにおけるチャンネル状態情報報告（ＣＳＩ報告）を遂行する端末の動作フローチャートを示す。
【図１２】本明細書で提案する方法が適用できる無線通信システムにおけるチャンネル状態情報報告（ＣＳＩ報告）を受信する基地局の動作フローチャートを示す。
【図１３】本明細書で提案する方法が適用できる無線通信装置のブロック構成図を例示する。
【図１４】本発明の一実施形態に従う通信装置のブロック構成図を例示する。
【図１５】本明細書で提案する方法が適用できる無線通信装置のＲＦモジュールの一例を示す図である。
【図１６】本明細書で提案する方法が適用できる無線通信装置のＲＦモジュールの更に他の一例を示す図である。
【発明を実施するための形態】
【００２７】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２８】
幾つかの場合、本発明の概念が曖昧になることを避けるために公知の構造及び装置は省略されるか、または各構造及び装置の核心機能を中心としたブロック図形式に図示できる。
【００２９】
本明細書で、基地局は端末と直接的に通信を遂行するネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む多数のネットワークノード（network nodes）からなるネットワークで、端末との通信のために遂行される多様な動作は基地局または基地局の以外の他のネットワークノードにより遂行できることは自明である。‘基地局（ＢＳ：Base Station）’は、固定局（fixed station）、Ｎｏｄｅ Ｂ、ｅＮＢ（evolved-NodeB）、ＢＴＳ（base transceiver system）、アクセスポイント（ＡＰ：Access Point）、 ｇＮＢ（general NB, generation NB）などの用語により取替できる。また、‘端末（Terminal）’は固定されるか、または移動性を有することができ、ＵＥ（User Equipment）、ＭＳ（Mobile Station）、ＵＴ（user terminal）、ＭＳＳ（Mobile Subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に取替できる。
【００３０】
以下、ダウンリンク（ＤＬ：downlink）は基地局から端末への通信を意味し、アップリンク（ＵＬ：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３１】
以下の説明で使われる特定用語は本発明の理解を助けるために提供されたものであり、このような特定用語の使用は本発明の技術的思想を逸脱しない範囲で異なる形態に変更できる。
【００３２】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonalmultipleaccess）などの多様な無線接続システムに利用できる。ＣＤＭＡは、ＵＴＲＡ（universal terrestrial radio access）やＣＤＭＡ２０００のような無線技術（radio technology）で具現できる。ＴＤＭＡは、ＧＳＭ（global system for mobile communications）／ＧＰＲＳ（general packet radio service）／ＥＤＧＥ（enhanced data rates for GSM evolution）のような無線技術で具現できる。ＯＦＤＭＡは、ＩＥＥＥ ８０２．１１（ＷｉＦｉ）、ＩＥＥＥ ８０２．１６（ＷｉＭＡＸ）、ＩＥＥＥ ８０２-２０、Ｅ−ＵＴＲＡ（evolved UTRA）などの無線技術で具現できる。ＵＴＲＡは、ＵＭＴＳ（universal mobile telecommunications system）の一部である。３ＧＰＰ（3rd generation partnership project）ＬＴＥ（longterm evolution）は、Ｅ−ＵＴＲＡを使用するＥ−ＵＭＴＳ（evolved UMTS）の一部であって、ダウンリンクでＯＦＤＭＡを採用し、アップリンクでＳＣ−ＦＤＭＡを採用する。ＬＴＥ−Ａ（advanced）は３ＧＰＰ ＬＴＥの進化である。
【００３３】
本発明の実施形態は無線接続システムであるＩＥＥＥ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３４】
説明を明確にするために、３ＧＰＰ ＬＴＥ／ＬＴＥ−Ａ／ＮＲ(New RAT)を中心として技術するが、本発明の技術的特徴がこれに制限されるものではない。
【００３５】
スマートフォン（smartphone）及びＩｏＴ（Internet Of Things）端末などの普及が速く拡散されることにより、通信網を通じてやりとりする情報の量が増加している。これにより、次世代無線アクセス技術では既存の通信システム（又は、既存の無線アクセス技術(radio access technology)）よりさらに多くのユーザにさらに速いサービスを提供する環境（例えば、向上した移動広帯域通信(enhanced mobile broadband communication)）が考慮される必要がある。
【００３６】
このために、複数の機器及び事物（object）を接続してサービスを提供するＭＴＣ（Machine Type Communication）を考慮する通信システムのデザインが論議されている。また、通信の信頼性（reliability）及び／又は遅延（latency）に敏感なサービス及び／又は端末などを考慮する通信システム（例えば、ＵＲＬＬＣ（Ultra-Reliable and Low Latency Communication）のデザインも議論されている。
【００３７】
以下、本明細書において、説明の便宜のために、前記次世代無線アクセス技術はＮＲ（New RAT（Radio Access Technology））と称され、前記ＮＲが適用される無線通信システムはＮＲシステムと称される。
【００３８】
用語の定義 
【００３９】
ｅＬＴＥ ｅＮＢ：ｅＬＴＥ ｅＮＢは、ＥＰＣ及びＮＧＣに対する連結を支援するｅＮＢの進化（evolution）である。
【００４０】
ｇＮＢ：ＮＧＣとの連結だけでなく、ＮＲを支援するノード。
【００４１】
新たなＲＡＮ：ＮＲまたはＥ−ＵＴＲＡを支援するか、またはＮＧＣと相互作用する無線アクセスネットワーク。
【００４２】
ネットワークスライス（network slice）：ネットワークスライスは、終端間の範囲と共に特定要求事項を要求する特定市場シナリオに対して最適化されたソリューションを提供するようにオペレータ（operator）により定義されたネットワーク。
【００４３】
ネットワーク機能（network function）：ネットワーク機能は、よく定義された外部インターフェースとよく定義された機能的動作を有するネットワークインフラ内での論理的ノード。
【００４４】
ＮＧ−Ｃ：新たなＲＡＮとＮＧＣとの間のＮＧ２レファレンスポイント（reference point）に使われる制御平面インターフェース。
【００４５】
ＮＧ−Ｕ：新たなＲＡＮとＮＧＣとの間のＮＧ３レファレンスポイント（reference point）に使われるユーザ平面インターフェース。
【００４６】
非独立型（Non-standalone）ＮＲ：ｇＮＢがＬＴＥ ｅＮＢをＥＰＣに制御プレーン連結のためのアンカーとして要求するか、またはｅＬＴＥ ｅＮＢをＮＧＣに制御プレーン連結のためのアンカーとして要求する配置構成。
【００４７】
非独立型Ｅ−ＵＴＲＡ：ｅＬＴＥ ｅＮＢがＮＧＣに制御プレーン連結のためのアンカーとしてｇＮＢを要求する配置構成。
【００４８】
ユーザ平面ゲートウェイ：ＮＧ−Ｕインターフェースの終端点。
【００４９】
システム一般 
【００５０】
図１は、本明細書で提案する方法が適用できるNRの全体的なシステム構造の一例を示したである。
【００５１】
図１を参照すると、ＮＧ−ＲＡＮはＮＧ−ＲＡユーザ平面（新たなAS sublayer／ＰＤＣＰ／ＲＬＣ／ＭＡＣ／ＰＨＹ）及びＵＥ（User Equipment）に対する制御平面（ＲＲＣ）プロトコル終端を提供するｇＮＢで構成される。
【００５２】
前記ｇＮＢは、Ｘｎインターフェースを通じて相互連結される。
【００５３】
また、前記ｇＮＢは、ＮＧインターフェースを通じてＮＧＣに連結される。
【００５４】
より具体的には、前記ｇＮＢはＮ２インターフェースを通じてＡＭＦ（Access and Mobility Management Function）に、Ｎ３インターフェースを通じてＵＰＦ（User Plane Function）に連結される。
【００５５】
ＮＲ(New Rat) ヌメロロジー（Numerology）及びフレーム（frame）構造
【００５６】
ＮＲシステムでは、多数のヌメロロジー（numerology）が支援できる。ここで、ヌメロロジーはサブキャリア間隔（subcarrier spacing）とＣＰ（Cyclic Prefix）オーバーヘッドにより定義できる。この際、多数のサブキャリア間隔は基本サブキャリア間隔を整数Ｎ（または、μ）にスケーリング（scaling）することにより誘導できる。また、非常に高い搬送波周波数で非常に低いサブキャリア間隔を利用しないと仮定されても、用いられるヌメロロジーは周波数帯域と独立に選択できる。
【００５７】
また、ＮＲシステムでは多数のヌメロロジーに従う多様なフレーム構造が支援できる。
【００５８】
以下、ＮＲシステムで考慮できるＯＦＤＭ（Orthogonal Frequency Division Multiplexing）ヌメロロジー及びフレーム構造を説明する。
【００５９】
ＮＲシステムで支援される多数のＯＦＤＭヌメロロジーは、表１のように定義できる。
【００６０】
【表１】
2021503814.tif 000003
【００６１】
ＮＲシステムにおけるフレーム構造（frame structure）と関連して、時間領域の多様なフィールドのサイズは
2021503814.tif 000004
の時間単位の倍数として表現される。ここで、
2021503814.tif 000005
であり、
2021503814.tif 000006
である。ダウンリンク（downlink）及びアップリンク（uplink）転送は
2021503814.tif 000007
の区間を有する無線フレーム（radio frame）で構成される。ここで、無線フレームは各々
2021503814.tif 000008
の区間を有する１０個のサブフレーム（subframe）で構成される。この場合、アップリンクに対する１セットのフレーム及びダウンリンクに対する１セットのフレームが存在することができる。
【００６２】
図２は、本明細書で提案する方法が適用できる無線通信システムにおけるアップリンクフレームとダウンリンクフレームとの間の関係を示す。
【００６３】
図２に示すように、端末（User Equipment、ＵＥ）からのアップリンクフレーム番号iの転送は、該当端末での該当ダウンリンクフレームの開始より
2021503814.tif 000009
以前に始めなければならない。
【００６４】
ヌメロロジーμに対して、スロット（slot）はサブフレーム内で
2021503814.tif 000010
の増加する順に番号が付けられて、無線フレーム内で
2021503814.tif 000011
の増加する順に番号が付けられる。１つのスロットは
2021503814.tif 000012
の連続するＯＦＤＭシンボルで構成され、
2021503814.tif 000013
は用いられるヌメロロジー及びスロット設定（slot configuration）によって決定される。サブフレームでスロット
2021503814.tif 000014
の開始は同一サブフレームでＯＦＤＭシンボル
2021503814.tif 000015
の開始と時間的に整列される。
【００６５】
全ての端末が同時に送信及び受信できるものではなく、これはダウンリンクスロット（downlink slot）またはアップリンクスロット（uplink slot）の全てのＯＦＤＭシンボルが利用できないことを意味する。
【００６６】
表２は一般（normal）ＣＰでスロット別ＯＦＤＭシンボルの個数
2021503814.tif 000016
、無線フレーム別スロットの個数
2021503814.tif 000017
、サブフレーム別スロットの個数
2021503814.tif 000018
を示し、表３は拡張（extended）ＣＰでスロット別ＯＦＤＭシンボルの個数、無線フレーム別スロットの個数、サブフレーム別スロットの個数を示す。
【００６７】
【表２】
2021503814.tif 000019
【００６８】
【表３】
2021503814.tif 000020
【００６９】
図３は、ＮＲシステムにおけるフレーム構造の一例を示す。図３は単に説明の便宜のためのものであり、本発明の範囲を制限するのでない。
【００７０】
表３の場合、μ＝２の場合、即ちサブキャリア間隔（subcarrier spacing、ＳＣＳ）が６０ｋＨｚの場合の一例であって、表２を参考すると、１サブフレーム（または、フレーム）は４個のスロットを含むことができ、図３に図示された１サブフレーム＝｛１、２、４｝スロットは一例であって、１サブフレームに含まれることができるスロットの個数は表２の通り定義できる。
【００７１】
また、ミニ−スロット（mini-slot）は２、４、または７シンボル（symbol）で構成されることもでき、より多いか、またはより少ないシンボルで構成されることもできる。
【００７２】
ＮＲシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００７３】
以下、ＮＲシステムで考慮できる前記物理資源に対して具体的に説明する。
【００７４】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはＱＣ／ＱＣＬ（quasico-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００７５】
図４は、本明細書で提案する方法が適用できる無線通信システムで支援する資源グリッド（resource grid）の一例を示す。
【００７６】
図４を参考すると、資源グリッドが周波数領域上に
2021503814.tif 000021
サブキャリアで構成され、１つのサブフレームが１４・２μＯＦＤＭシンボルで構成されることを例示的に記述するが、これに限定されるものではない
【００７７】
ＮＲシステムにおいて、伝送される信号（transmitted signal）は、
2021503814.tif 000022
サブキャリアから構成される１つ又はそれ以上の資源グリッド及び
2021503814.tif 000023
のＯＦＤＭシンボルによって説明される。ここで、
2021503814.tif 000024
である。前記
2021503814.tif 000025
は、最大伝送帯域幅を示し、これは、ヌメロロジーだけでなく、アップリンクとダウンリンクとの間にも変わることができる。
【００７８】
この場合、図5に示すように、ヌメロロジー
2021503814.tif 000026
及びアンテナポートｐ別に１つの資源グリッドが設定できる。
【００７９】
図５は、本明細書で提案する方法が適用できるアンテナポート及びヌメロロジー別の資源グリッドの例を示す。
【００８０】
ヌメロロジー
2021503814.tif 000027
及びアンテナポートｐに対する資源グリッドの各要素は資源要素（resource element）と称され、インデックス対
2021503814.tif 000028
により固有的に識別される。ここで、
2021503814.tif 000029
は周波数領域上のインデックスであり、
2021503814.tif 000030
はサブフレーム内でシンボルの位置を示す。スロットで資源要素を示すときは、インデックス対
2021503814.tif 000031
が用いられる。ここで、
2021503814.tif 000032
である。
【００８１】
ヌメロロジー
2021503814.tif 000033
及びアンテナポートｐに対する資源要素
2021503814.tif 000034
は、複素値（complex value）
2021503814.tif 000035
に該当する。混同（confusion）される危険がない場合、または、特定のアンテナポートまたはヌメロロジーが特定されない場合は、インデックスｐ及び
2021503814.tif 000036
はドロップ（drop）されることができ、その結果、複素値は
2021503814.tif 000037
又は
2021503814.tif 000038
になることができる。
【００８２】
また、物理資源ブロック（physical resource block）は周波数領域上の
2021503814.tif 000039
連続的なサブキャリアに定義される。
【００８３】
Point Aは資源ブロックグリッドの共通参照地点（common  reference  point）としての役割をし、次の通り獲得できる。
【００８４】
−ＰＣｅｌｌダウンリンクに対するoffsetToPointAは初期セル選択のためにＵＥにより使われたＳＳ／ＰＢＣＨブロックと重なる最も低い資源ブロックの最も低いサブキャリアとpoint Aとの間の周波数オフセットを示し、ＦＲ１に対して１５ｋＨｚサブキャリア間隔及びＦＲ２に対して６０ｋＨｚサブキャリア間隔を仮定したリソースブロック単位（unit）で表現され；
【００８５】
−absoluteFrequencyPointA、はＡＲＦＣＮ（absolute radio-frequency channel number）のように表現されたpoint Aの周波数−位置を示す。
【００８６】
共通資源ブロック（common resource block）はサブキャリア間隔設定μに対する周波数領域で０から上側にナンバリング（numbering）される。
【００８７】
サブキャリア間隔設定μに対する共通資源ブロック０のsubcarrier  ０の中心は‘point A’と一致する。周波数領域で共通資源ブロック番号（number）
2021503814.tif 000040
とサブキャリア間隔設定μに対する資源要素（ｋ、ｌ）は以下の数式１のように与えられる。
【００８８】
【数１】
2021503814.tif 000041
【００８９】
ここで、
ｋは
ｋ＝０
このpoint Aを中心とするsubcarrierに該当するようにpoint Aに相対的に定義できる。物理資源ブロックは帯域幅パート（bandwidth part、ＢＷＰ）内で
０から
2021503814.tif 000042
まで番号が付けられ、
ｉ
はＢＷＰの番号である。ＢＷＰ  ｉで物理資源ブロック
2021503814.tif 000043
と共通資源ブロック
2021503814.tif 000044
との間の関係は、以下の数式２により与えられる。
【００９０】
【数２】
2021503814.tif 000045
【００９１】
ここで、
2021503814.tif 000046
はＢＷＰが共通資源ブロック０に相対的に始める共通資源ブロックでありうる。
【００９２】
自己完結型（Self-contained）構造
【００９３】
ＮＲシステムにおいて考慮されるＴＤＤ（Time Division Duplexing）構造は、アップリンク（Uplink：ＵＬ）とダウンリンク（Downlink：ＤＬ）を１つのスロット（又は、サブフレーム）において全て処理する構造である。これは、ＴＤＤシステムにおいてデータ転送の遅延（latency）を最小化するためのものであり、前記構造は自己完結型構造又は自己完結型スロットと称される。
【００９４】
図６は、本明細書で提案する方法が適用できる自己完結型構造の一例を示す。図６は、単に説明の便宜のためのものに過ぎず、本発明の範囲を制限するものではない。
【００９５】
図６に示すように、レガシＬＴＤ（legacy LTE）の場合のように、１つの伝送単位（例えば、スロット、サブフレーム）が１４個のＯＦＤＭ（Orthogonal Frequency Division Multiplexing）シンボルから構成される場合が仮定される。
【００９６】
図６において、領域６０２は、ダウンリンク制御領域（downlink control region）を意味し、領域６０４は、アップリンク制御領域（uplink control region）を意味する。また、領域６０２及び領域６０４以外の領域（すなわち、別途の表示がない領域）は、ダウンリンクデータ（downlink data）又はアップリンクデータの伝送のために利用できる。
【００９７】
すなわち、アップリンク制御情報及びダウンリンク制御情報は、１つの自己完結型スロットで伝送できる。それに対して、データの場合、アップリンクデータ又はダウンリンクデータが１つの自己完結型スロットで伝送できる。
【００９８】
図６に示す構造を用いる場合、１つの自己完結型スロット内において、ダウンリンク伝送とアップリンク伝送が順次行われ、ダウンリンクデータの送信及びアップリンクＡＣＫ／ＮＡＣＫの受信が実行できる。
【００９９】
結果的に、データ伝送のエラーが発生する場合、データの再伝送までかかる時間を減少することができる。これにより、データの伝達に関連した遅延を最小化することができる。
【０１００】
図６のような自己完結型スロット構造において、基地局（ｅＮｏｄｅＢ、ｅＮＢ、ｇＮＢ）及び／又は端末（terminal, User Equipment（ＵＥ)）が伝送モードから受信モードに転換する過程又は受信モードから伝送モードに転換する過程のための時間ギャップ（time gap）が要求される。前記時間ギャップに関連して、前記自己完結型スロットでダウンリンク伝送以後にアップリンク伝送が行われる場合、一部ＯＦＤＭシンボルが保護区間（Guard Period：ＧＰ）に設定される。
【０１０１】
アナログビームフォーミング（analog beamforming）
【０１０２】
ミリメートル波（mmWave：ｍｍＷ）通信システムにおいては、信号の波長（wavelength）が短くなるにつれて、同一面積に多数の（または、多重の）アンテナを設置できる。例えば、３０ＣＨｚ帯域において、波長は約１ｃｍ程度であり、２次元（2-dimension）配列形態によって５ｃｍ×５ｃｍのパネル（panel）に０．５ラムダ（lambda）間隔でアンテナを設置する場合、総１００個のアンテナ要素が設置できる。
【０１０３】
従って、ｍｍＷ通信システムにおいては、多数のアンテナ要素を用いてビームフォーミング（beamforming：ＢＦ）利得を高めることによりカバレッジ（coverage）を増加させるか、処理量（throughput）を高める法案を考慮することができる。
【０１０４】
このとき、アンテナ要素別に転送パワー（transmission power）及び位相（phase）の調節が可能となるようにＴＸＲＵ（Transceiver Unit）が設置される場合、周波数資源（frequency resource）別に独立したビームフォーミングが可能となる。
【０１０５】
ただ、すべてのアンテナ要素（例：１００個のアンテナ要素）にＴＸＲＵを設置する法案は価格の面で実効性が低下する可能性がある。これにより、１つのＴＸＲＵに多数のアンテナ要素をマッピングし、アナログ位相シフター（analog phase shifter）を利用してビーム（beam）の方向（direction）を制御する方式を考慮することができる。
【０１０６】
前述したようなアナログビームフォーミング方式は、全帯域において１つのビーム方向のみを生成できるため、周波数選択的なビーム動作を実行できないという問題が発生する。
【０１０７】
これにより、デジタルビームフォーミング（digital beamforming）とアナログビームフォーミングの中間形態で、Ｑ個のアンテナ要素より少ない数であるＢ個のＴＸＲＵを有するハイブリッドビームフォーミング（hybrid beamforming）を考慮することができる。この場合、前記Ｂ個のＴＸＲＵとＱ個のアンテナ要素の連結方式によって違いはあるが、同時に信号を伝送できるビームの方向はＢ個以下に制限することができる。
【０１０８】
ＣＳＩ関連手続き（Channel State Information related Procedure）
【０１０９】
ＮＲ（New Radio）システムで、ＣＳＩ−ＲＳ（channel state information-reference signal）は時間及び／又は周波数トラッキング（time／frequency tracking）、ＣＳＩ計算（computation）、Ｌ１（layer１）−ＲＳＲＰ（reference signal received power）計算（computation）及び移動性（mobility）のために使われる。
【０１１０】
本明細書で使われる‘Ａ及び／又はＢ’は‘ＡまたはＢのうち、少なくとも１つを含む’と同一な意味として解釈できる。
【０１１１】
前記CSI computationはＣＳＩ獲得（acquisition）と関連し、L1-RSRP computationはビーム管理（beam management、ＢＭ）と関連する。
【０１１２】
ＣＳＩ（channel state information）は端末とアンテナポートとの間に形成される無線チャンネル（または、リンクともいう）の品質を示すことができる情報を通称する。
【０１１３】
ＣＳＩ関連手続きに対する端末の動作について説明する。
【０１１４】
図７は、ＣＳＩ関連手続きの一例を示す流れ図である。
【０１１５】
前記のようなＣＳＩ−ＲＳの用途のうちの１つを遂行するために、端末（例：user equipment、ＵＥ）はＣＳＩと関連した設定（configuration）情報をRRC（radio resource control）signalingを通じて基地局（例：general Node B、ｇＮＢ）から受信する（Ｓ７１０）。
【０１１６】
前記ＣＳＩと関連したconfiguration情報はＣＳＩ−ＩＭ（interference management）資源（resource）関連情報、ＣＳＩ測定設定（measurement configuration）関連情報、ＣＳＩ資源設定（resource configuration）関連情報、ＣＳＩ−ＲＳ資源（resource）関連情報、またはＣＳＩ報告設定（report configuration）関連情報のうち、少なくとも１つを含むことができる。
【０１１７】
前記ＣＳＩ−ＩＭ資源関連情報は、ＣＳＩ−ＩＭ資源情報（resource information）、ＣＳＩ−ＩＭ資源セット情報（resource set information）などを含むことができる。
【０１１８】
CSI-IM resource setはCSI-IM resource set ID（identifier）により識別され、１つのresource setは少なくとも１つのCSI-IM resourceを含む。
【０１１９】
各々のCSI-IM resourceはCSI-IM resource IDにより識別される。
【０１２０】
前記CSI resource configuration関連情報はＮＺＰ（non zero power）CSI-RS resource set、CSI-IM resource set、またはCSI-SSB resource setのうち、少なくとも１つを含むグループを定義する。
【０１２１】
即ち、前記CSI resource configuration関連情報はCSI-RS resource set listを含み、前記CSI-RS resource set listはNZP CSI-RS resource set list、CSI-IM resource set list、またはCSI-SSB resource set listのうち、少なくとも１つを含むことができる。
【０１２２】
前記CSI resource configuration関連情報は、CSI-ResourceConfig IEと表現できる。
【０１２３】
CSI-RS resource setは、CSI-RS resource set IDにより識別され、１つのresource setは少なくとも１つのCSI-RS resourceを含む。
【０１２４】
各々のCSI-RS resourceはCSI-RS resource IDにより識別される。
【０１２５】
表４のように、NZP CSI-RS resource set別にCSI-RSの用途を示すparameter（例：ＢＭ関連‘repetition’ parameter、tracking関連‘trs-Info’ parameter）が設定できる。
【０１２６】
表４は、NZP CSI-RS resource set IEの一例を示す。
【０１２７】
【表４】
2021503814.tif 000047
【０１２８】
表４で、repetition parameterは同一のbeamの反復転送であるか否かを示すparameterで、NZP CSI-RS resource set別にrepetitionが‘ON’または‘OFF’なのかを指示する。
【０１２９】
本明細書で使われる転送ビーム（Tx beam）はspatial domain transmission filterと、受信ビーム（Rx beam）はspatial domain reception filterと同一な意味として解釈できる。
【０１３０】
例えば、表４のrepetition parameterが‘OFF’に設定された場合、端末はresource set内のNZP CSI-RS resourceが全てのシンボルで同一なDL spatial domain transmission filterと同一なNrofportsに転送されると仮定しない。
【０１３１】
そして、higher layer parameterに該当するrepetition parameterはL1 parameterの‘CSI-RS-ResourceRep’に対応する。
【０１３２】
前記ＣＳＩ報告設定（report configuration）関連情報は時間領域行動（time domain behavior）を示す報告設定タイプ（reportConfigType）parameter及び報告するためのＣＳＩ関連quantityを示す報告量（reportQuantity）parameterを含む。
【０１３３】
前記時間領域行動（time domain behavior）は、periodic、aperiodic、またはsemi-persistentでありうる。
【０１３４】
そして、前記CSI report configuration関連情報はCSI-ReportConfig IEで表現されることができ、以下の表５はCSI-ReportConfig IEの一例を示す。
【０１３５】
【表５】
2021503814.tif 000048
【０１３６】
そして、前記端末は前記ＣＳＩと関連したconfiguration情報に基づいてＣＳＩを測定（measurement）する（Ｓ７２０）。
【０１３７】
前記ＣＳＩ測定は、（１）端末のＣＳＩ−ＲＳ受信過程（Ｓ７２１）と、（２）受信されたＣＳＩ−ＲＳを通じてＣＳＩを計算（computation）する過程（Ｓ７２２）を含むことができる。
【０１３８】
前記ＣＳＩ−ＲＳに対するシーケンス（sequence）は以下の数式３により生成され、pseudo-random sequence C(i)の初期値（initialization value）は数式４により定義される。
【０１３９】
【数３】
2021503814.tif 000049
【０１４０】
【数４】
2021503814.tif 000050
【０１４１】
数式３及び４で、
2021503814.tif 000051
はradio frame内スロット番号（slot number）を示し、pseudo-random sequence generatorは
2021503814.tif 000052
である各ＯＦＤＭシンボルの始めでCintに初期化される。
【０１４２】
そして、ｌはスロット内OFDM symbol numberであり、
2021503814.tif 000053
はhigher-layer parameter scrambling IDと同一である。
【０１４３】
そして、前記ＣＳＩ−ＲＳはhigher layer parameter CSI-RS-Resource Mappingにより時間（time）及び周波数（frequency）領域でCSI-RS resourceのＲＥ（resource element）マッピングが設定される。
【０１４４】
表６はCSI-RS-Resource Mapping IEの一例を示す。
【０１４５】
【表６】
2021503814.tif 000054
【０１４６】
表６で、密度（density、Ｄ）はRE／port／PRB（physical resource block）で測定されるCSI-RS resourceのdensityを示し、nrofPortsはアンテナポートの個数を示す。
【０１４７】
そして、前記端末は前記測定されたＣＳＩを基地局に報告（report）する（Ｓ７３０）。
【０１４８】
ここで、表６のCSI-ReportConfigのquantityが‘none（または、Noreport）’に設定された場合、前記端末は前記reportを省略することができる。
【０１４９】
但し、前記quantityが‘none（または、No report）’に設定された場合にも前記端末は基地局にreportを行うこともできる。
【０１５０】
前記quantityが‘none’に設定された場合はaperiodic TRSをtriggerする場合、またはrepetitionが設定された場合である。
【０１５１】
ここで、repetitionが‘ON’に設定された場合のみに前記端末のreportを省略するように定義することもできる。
【０１５２】
整理すると、repetitionが‘ON’及び‘OFF’に設定される場合、CSI reportは‘No report’、‘ＳＳＢＲＩ （SSB Resource Indicator）及びＬ１−ＲＳＲＰ’、‘ＣＲＩ（CSI-RS Resource Indicator）、及びＬ１−ＲＳＲＰ’全て可能でありうる。
【０１５３】
または、repetitionが‘OFF’の場合には‘ＳＳＢＲＩ及びＬ１−ＲＳＲＰ’または‘ＣＲＩ及びＬ１−ＲＳＲＰ’のCSI reportが転送されるように定義され、repetition‘ON’の場合には‘No report’、‘ＳＳＢＲＩ及びＬ１−ＲＳＲＰ’、または‘ＣＲＩ及びＬ１−ＲＳＲＰ’が転送されるように定義できる。
【０１５４】
ＣＳＩ測定及び報告（CSI measurement and reporting）手続き
【０１５５】
ＮＲシステムはより柔軟で動的なCSI measurement及びreportingを支援する。
【０１５６】
前記CSI measurementはＣＳＩ−ＲＳを受信し、受信されたＣＳＩ−ＲＳをcomputationしてＣＳＩをacquisitionする手続きを含むことができる。
【０１５７】
CSI measurement及びreportingのtime domain behaviorとして、aperiodic／semi-persistent／periodic CM（channel measurement）及びＩＭ（interference measurement）が支援される。
【０１５８】
ＣＳＩ−ＩＭの設定のために4 port NZP CSI-RS RE patternを用いる。
【０１５９】
ＮＲのＣＳＩ−ＩＭ基盤ＩＭＲはＬＴＥのＣＳＩ−ＩＭと類似のデザインを有し、PDSCH rate matchingのためのZP CSI-RS resourceとは独立に設定される。
【０１６０】
そして、ＮＺＰ  ＣＳＩ−ＲＳ基盤ＩＭＲで各々のportは（好ましいchannel及び）precoded NZP CSI-RSを有するinterference layerをemulateする。
【０１６１】
これは、multi-user caseに対してintra-cell interference measurementに対するものであって、MU interferenceを主にtargetする。
【０１６２】
基地局は設定されたＮＺＰ  ＣＳＩ−ＲＳ基盤ＩＭＲの各port上でprecoded NZP CSI-RSを端末に転送する。
【０１６３】
端末はresource setで各々のportに対してchannel／interference layerを仮定し、interferenceを測定する。
【０１６４】
チャンネルに対して、どんなPMI及びRI feedbackもない場合、多数のresourceはsetで設定され、基地局またはネットワークはchannel／interference measurementに対してNZP CSI-RS resourceなどのsubsetをＤＣＩを介して指示する。
【０１６５】
resource setting及びresource setting configurationについてより具体的に説明する。
【０１６６】
資源セッティング（resource setting）
【０１６７】
各々のCSI resource setting ‘CSI-ResourceConfig’は（higher layer parameter csi-RS-ResourceSetListにより与えられた）S≧1 CSI resource setに対するconfigurationを含む。
【０１６８】
ここで、CSI resource settingはCSI-RS-resourcesetlistに対応する。
【０１６９】
ここで、Ｓは設定されたCSI-RS resource setの数を示す。
【０１７０】
ここで、S≧1 CSI resource setに対するconfigurationは（ＮＺＰ  ＣＳＩ−ＲＳまたはＣＳＩ−ＩＭで構成された）CSI-RS resourceを含む各々のCSI resource setとL1-RSRP computationに使われるSS/PBCH block（ＳＳＢ）resourceを含む。
【０１７１】
各CSI resource settingはhigher layer parameter bwp-idにて識別されるＤＬ  ＢＷＰ（bandwidth part）に位置する。
【０１７２】
そして、CSI reporting settingにリンクされた全てのCSI resource settingは同一なＤＬ  ＢＷＰを有する。
【０１７３】
CSI-ResourceConfig IEに含まれるCSI resource setting内でCSI-RS resourceのtime domain behaviorはhigher layer parameter resource Typeにより指示され、aperiodic、periodic、またはsemi-persistentに設定できる。
【０１７４】
Periodic及びsemi-persistent CSI resource settingに対し、設定されたCSI-RS resource setの数（Ｓ）は‘１’に制限される。
【０１７５】
Periodic及びsemi-persistent CSI resource settingに対し、設定された周期（periodicity）及びスロットオフセット（slot offset）はｂｗｐ−ｉｄにより与えられるように、関連したＤＬ  ＢＷＰのnumerologyで与えられる。
【０１７６】
ＵＥが同一のNZP CSI-RS resource IDを含む多数のCSI-ResourceConfigに設定される時、同一なtime domain behaviorはCSI-ResourceConfigに対して設定される。
【０１７７】
ＵＥが同一のCSI-IM resource IDを含む多数のCSI-ResourceConfigに設定される時、同一なtime domain behaviorはCSI-ResourceConfigに対して設定される。
【０１７８】
次は、channel measurement（ＣＭ）及びinterference measurement（ＩＭ）のための１つまたはその以上のCSI resource settingはhigher layer signalingを通じて設定される。
【０１７９】
−interference measurementに対するCSI-IM resource。
【０１８０】
−interference measurementに対するＮＺＰ  ＣＳＩ−ＲＳ資源。
【０１８１】
−channel measurementに対するＮＺＰ  ＣＳＩ−ＲＳ資源。
【０１８２】
即ち、ＣＭＲ（channel measurement resource）はCSI acquisitionのためのＮＺＰ  ＣＳＩ−ＲＳでありえ、ＩＭＲ（Interference measurement resource）はＣＳＩ−ＩＭとＩＭのためのＮＺＰ  ＣＳＩ−ＲＳでありうる。
【０１８３】
ここで、ＣＳＩ−ＩＭ（または、ＩＭのためのＺＰ  ＣＳＩ−ＲＳ）は主にinter-cell interference measurementに対して使われる。
【０１８４】
そして、ＩＭのためのＮＺＰ  ＣＳＩ−ＲＳは主にmulti-userからintra-cell interference measurementのために使われる。
【０１８５】
ＵＥはチャンネル測定のためのCSI-RS resource及び１つのCSI reportingのために設定されたinterference measurementのためのCSI-IM／NZP CSI-RS resourceが資源別に‘QCL-TypeD’と仮定することができる。
【０１８６】
資源セッティング設定（resource setting configuration）
【０１８７】
前述したように、resource settingはresource set listを意味することができる。
【０１８８】
aperiodic CSIに対し、higher layer parameter CSI-AperiodicTriggerStateを使用して設定される各トリガー状態（trigger state）は各々のCSI-ReportConfigがperiodic、semi-persistent、またはaperiodic resource settingにリンクされる１つまたは多数のCSI-ReportConfigと関連する。
【０１８９】
１つのreporting settingは最大３個までのresource settingと連結できる。
【０１９０】
−１つのresource settingが設定されれば、（higher layer parameter resourcesForChannelMeasurementにより与えられる）resource settingはL1-RSRP computationのためのchannel measurementに対するものである。
【０１９１】
−２つのresource settingが設定されれば、（higher layer parameter resourcesForChannelMeasurementにより与えられる）最初のresource settingはchannel measurementのためのものであり、（csi-IM-ResourcesForInterferenceまたはnzp-CSI-RS-ResourcesForInterferenceにより与えられる）２番目のresource settingはＣＳＩ−ＩＭまたはＮＺＰ  ＣＳＩ−ＲＳ上で遂行されるinterference measurementのためのものである。
【０１９２】
−３個のresource settingが設定されれば、（resourcesForChannelMeasurementにより与えられる）最初のresource settingはchannel measurementのためのものであり、（csi-IM-ResourcesForInterferenceにより与えられる）２番目のresource settingはＣＳＩ−ＩＭ基盤interference measurementのためのものであり、（nzp-CSI-RS-ResourcesForInterferenceにより与えられる）３番目のresource settingはＮＺＰ  ＣＳＩ−ＲＳ基盤interference measurementのためのものである。
【０１９３】
Semi-persistentまたはperiodic CSIに対し、各CSI-ReportConfigはperiodicまたはsemi-persistent resource settingにリンクされる。
【０１９４】
−（resourcesForChannelMeasurementにより与えられる）１つのresource settingが設定されれば、前記resource settingはL1-RSRP computationのためのchannel measurementに対するものである。
【０１９５】
−２つのresource settingが設定されれば、（resourcesForChannelMeasurementにより与えられる）最初のresource settingはchannel measurementのためのものであり、（higher layer parameter csi-IM-ResourcesForInterferenceにより与えられる）２番目のresource settingはＣＳＩ−ＩＭ上で遂行されるinterference measurementのために使われる。
【０１９６】
CSI measurement関連CSI computationについて説明する。
【０１９７】
干渉測定がＣＳＩ−ＩＭ上で遂行されれば、チャンネル測定のための各々のCSI-RS resourceは対応するresource set内でCSI-RS resource及びCSI-IM resourceの順序によりCSI-IM resourceと資源別に関連する。
【０１９８】
チャンネル測定のためのCSI-RS resourceの数はCSI-IM resourceの数と同一である。
【０１９９】
そして、interference measurementがＮＺＰ  ＣＳＩ−ＲＳで遂行される場合、ＵＥはチャンネル測定のためのresource setting内で関連したresource setで、１つ以上のNZP CSI-RS resourceに設定されることと期待しない。
【０２００】
Higher layer parameter nzp-CSI-RS-ResourcesForInterferenceが設定された端末はNZP CSI-RS resource set内に１８個以上のNZP CSI-RS portが設定されることと期待しない。
【０２０１】
ＣＳＩ測定のために、端末は以下の事項を仮定する。
【０２０２】
−干渉測定のために設定された各々のNZP CSI-RS portは干渉転送階層に該当する。
【０２０３】
−干渉測定のためのNZP CSI-RS portの全ての干渉転送レイヤはＥＰＲＥ（energy per resource element）比率を考慮する。
【０２０４】
−チャンネル測定のためのNZP CSI-RS resourceのRE（s）上で他の干渉信号、干渉測定のためのNZP CSI-RS resourceまたは干渉測定のためのCSI-IM resource。
【０２０５】
ＣＳＩ報告（Reporting）手続きについてより具体的に説明する。
【０２０６】
ＣＳＩ報告のために、ＵＥが使用することができるtime及びfrequency資源は基地局により制御される。
【０２０７】
ＣＳＩ（channel state information）はチャンネル品質指示子（channel quality indicator、ＣＱＩ）、プリコーディング行列指示子（precoding matrix indicator、ＰＭＩ）、CSI-RS resource indicator（ＣＲＩ）、SS/PBCH block resource indicator（ＳＳＢＲＩ）、layer indicator（ＬＩ）、rank indicator（ＲＩ）、またはＬ１−ＲＳＲＰのうち、少なくとも１つを含むことができる。
【０２０８】
ＣＱＩ、ＰＭＩ、ＣＲＩ、ＳＳＢＲＩ、ＬＩ、ＲＩ、Ｌ１−ＲＳＲＰに対し、端末はN≧1 CSI-ReportConfig reporting setting、M≧1 CSI-ResourceConfig resource setting及び１つまたは２つのtrigger stateのリスト（aperiodicTriggerStateList及びsemiPersistentOnPUSCH-TriggerStateListにより提供される）にhigher layerにより設定される。
【０２０９】
前記aperiodic TriggerStateListで各trigger stateはchannel及び選択的にinterferenceに対するresource set IDを指示する関連したCSI-ReportConfigsリストを含む。
【０２１０】
前記semiPersistentOnPUSCH-TriggerStateListで各trigger stateは１つの関連したCSI-ReportConfigが含まれる。
【０２１１】
そして、CSI reportingのtime domain behaviorは、periodic、semi-persistent、aperiodicを支援する。
【０２１２】
以下、periodic、semi-persistent（ＳＰ）、aperiodic CSI reportingについて各々説明する。
【０２１３】
Periodic CSI reportingは、short PUCCH、long PUCCH上で遂行される。
【０２１４】
Periodic CSI reportingの周期（periodicity）及びスロットオフセット（slot offset）はＲＲＣに設定されることができ、CSI-ReportConfig IEを参考にする。
【０２１５】
次に、SP CSI reportingは、short PUCCH、long PUCCH、またはＰＵＳＣＨ上で遂行される。
【０２１６】
Short／long PUCCH上でＳＰ  ＣＳＩの場合、周期（periodicity）及びスロットオフセット（slot offset）はＲＲＣに設定され、別途のＭＡＣ  ＣＥ にＣＳＩ報告がactivation／deactivationされる。
【０２１７】
ＰＵＳＣＨ上でＳＰ  ＣＳＩの場合、SP CSI reportingのperiodicityはＲＲＣに設定されるが、slot offsetはＲＲＣに設定されず、ＤＣＩ（format 0_1）によりSP CSI reportingは活性化／不活性化（activation／deactivation）される。
【０２１８】
最初のＣＳＩ報告タイミングはＤＣＩで指示されるPUSCH time domain allocation値に従い、後続のＣＳＩ報告タイミングはＲＲＣに設定された周期に従う。
【０２１９】
ＰＵＳＣＨ上でSPCSI reportingに対し、分離されたＲＮＴＩ（ＳＰ−ＣＳＩ  Ｃ−ＲＮＴＩ）が使われる。
【０２２０】
DCI format 0_1はCSI request fieldを含み、特定configured SP-CSI trigger stateをactivation／deactivationすることができる。
【０２２１】
そして、SP CSI reportingはＳＰＳ  ＰＵＳＣＨ上でdata転送を有するmechanismと同一または類似の活性化／不活性化を有する。
【０２２２】
次に、aperiodic CSI reportingは、ＰＵＳＣＨ上で遂行され、ＤＣＩによりtriggerされる。
【０２２３】
ＡＰ  ＣＳＩ−ＲＳを有するＡＰ  ＣＳＩの場合、AP CSI-RS timingはＲＲＣにより設定される。
【０２２４】
ここで、AP CSI reportingに対するtimingはＤＣＩにより動的に制御される。
【０２２５】
ＮＲはＬＴＥでＰＵＣＣＨ基盤ＣＳＩ報告に適用されていた多数のreporting instanceでＣＳＩを分けて報告する方式（例えば、ＲＩ、ＷＢ  ＰＭＩ／ＣＱＩ、ＳＢ  ＰＭＩ／ＣＱＩの順序で転送）が適用されない。
【０２２６】
代わりに、ＮＲはshort／long PUCCHで特定ＣＳＩ報告が設定できないように制限し、CSI omission ruleが定義される。
【０２２７】
そして、AP CSI reporting timingと関連して、PUSCH symbol／slot locationはＤＣＩにより動的に指示される。そして、candidate slot offsetはＲＲＣにより設定される。
【０２２８】
CSI reportingに対し、slot offset（Y）はreporting setting別に設定される。
【０２２９】
ＵＬ−ＳＣＨに対し、slot offset K2は別個に設定される。
【０２３０】
２つのCSI latency class（low latency class、high latency class）はCSI computation complexityの観点から定義される。
【０２３１】
Low latency CSIの場合、最大4 ports Type-I codebookまたは最大4-portsnon-PMI feedback CSIを含むＷＢ  ＣＳＩである。
【０２３２】
High latency CSIはlow latency CSIを除外した他のＣＳＩをいう。
【０２３３】
Normal端末に対し、（Ｚ、Ｚ’）はOFDM symbolのunitで定義される。
【０２３４】
ＺはAperiodic CSI triggering DCIを受信した後、ＣＳＩ報告を遂行するまでの最小CSI processing timeを示す。
【０２３５】
Ｚ’はchannel／interferenceに対するＣＳＩ−ＲＳを受信した後、ＣＳＩ報告を遂行するまでの最小CSI processing timeを示す。
【０２３６】
追加的に、端末は同時にcalculationできるＣＳＩの個数をreportする。
【０２３７】
ＰＵＳＣＨを用いたＣＳＩ報告（CSI reporting using PUSCH）
【０２３８】
図８は、ＰＵＳＣＨ基盤CSI reportingの情報ペイロード（payload）の一例を示す。
【０２３９】
ＮＺＢＩはType II PMIコードブックに対してlayer別non-zero wideband amplitude coefficientsの個数に対するindicationを示すparameterである。
【０２４０】
ＤＣＩに対するデコーディングが成功する場合、端末はサービングセル（ｃ）のＰＵＳＣＨを使用してaperiodic CSI報告を遂行する。
【０２４１】
ＰＵＳＣＨで遂行されるaperiodic CSI reportingは、wideband及びsub-band周波数細分性（frequency granularity）を支援する。
【０２４２】
ＰＵＳＣＨで遂行されるaperiodic CSI reportingは、Type I及びType II CSIを支援する。
【０２４３】
SP（semi-persistent）CSI trigger stateを活性化するＤＣＩフォーマット０_１に対するデコーディングが成功する場合、端末はＰＵＳＣＨに対するＳＰ  ＣＳＩ報告を遂行する。
【０２４４】
DCI format 0_1は活性化または不活性化するSP CSI trigger stateを示すＣＳＩ要請フィールド（request field）を含む。
【０２４５】
ＰＵＳＣＨに対するSP CSI reportは、wideband及びsub-band周波数細分性を有するType I及びType II CSIを支援する。
【０２４６】
ＳＰ  ＣＳＩ報告に対するPUSCH resource及びＭＣＳ（Modulation and Coding Scheme）は、ＵＬ  ＤＣＩにより半−永久的に割り当てられる。
【０２４７】
ＰＵＳＣＨに対するCSI reportは、ＰＵＳＣＨ上のUL dataとmultiplexingできる。
【０２４８】
また、ＰＵＳＣＨに対するCSI reportingは、UL dataとマルチプレキシング無しで遂行できる。
【０２４９】
ＰＵＳＣＨ上でType I及びType II CSIに対し、CSI reportingは図８に図示したように、２つのpart（Part 1及びPart 2）を含む。
【０２５０】
Part 1  ８１０はPart 2  ８２０の情報ビット数を識別することに使われる。Part 1はPart 2の以前に全体が転送される。
【０２５１】
−Type I CSI feedbackに対し、Part 1は（報告された場合）ＲＩ、（報告された場合）ＣＲＩ、最初のコードワード（codeword）のＣＱＩを含む。
【０２５２】
Part 2はＰＭＩを含み、ＲＩ＞４の時、２番目のcodewordに対するＣＱＩを含む。
【０２５３】
−Type II CSI feedbackに対し、Part 1は固定されたペイロードサイズを有し、ＲＩ、ＣＱＩ、及びType II CSIに対するlayer当たりnon-zero wideband amplitude coefficientの個数に対するindication（ＮＺＢＩ）を含む。
【０２５４】
Part 1で、ＲＩ、ＣＱＩ、及びＮＺＢＩは別途にエンコーディングされる。
【０２５５】
Part 2はType II CSIのＰＭＩを含む。
【０２５６】
Part 1とPart 2は別途にエンコーディングされる。
【０２５７】
ＰＵＳＣＨ上で運搬されるType II CSI reportはPUCCH format 1、3、または4で運搬される全てのType II CSI reportingと独立に計算される。
【０２５８】
上位階層媒介変数reportQuantityが‘ｃｒｉ−ＲＳＲＰ’または‘ｓｓｂ−Ｉｎｄｅｘ−ＲＳＲＰ’値のうちの１つに設定されれば、ＣＳＩフィードバックは１つの（single）Partで構成される。
【０２５９】
ＰＵＣＣＨに対して設定されたが、ＰＵＳＣＨから転送されるType I及びType II CSI reportingに対し、encoding schemeはＰＵＣＣＨのエンコーディング方式に従う。
【０２６０】
ＰＵＳＣＨでCSI reportingが２つのpartを含み、報告するCSI payloadがＣＳＩ報告のために割り当てられたＰＵＳＣＨ資源で提供するpayloadサイズより不足した場合、端末はPart 2 CSIの一部を省略することができる。
【０２６１】
Part 2 CSIの省略（omission）は優先順位によって決定され、Priority０が最も高い優先順位であり、優先順位
2021503814.tif 000055
は最も低い優先順位を有する。
【０２６２】
ＰＵＣＣＨを用いたＣＳＩ報告（CSI reporting using PUCCH）
【０２６３】
端末はＰＵＣＣＨ上で周期的なCSI reportを遂行するためにhigher layerにより半−静的に（semi-statically）構成される。
【０２６４】
端末は、関連したCSI measurement link及びCSI resource settingがhigher layerに設定された１つ以上の上位階層に設定されたCSI report setting indicationに該当する多数の周期的CSI reportに対して上位階層に設定できる。
【０２６５】
PUCCH format 2、3、または4でperiodic CSI報告は広帯域単位でType I CSIを支援する。
【０２６６】
ＰＵＳＣＨ上でＳＰ  ＣＳＩに対し、端末はselection commandを運搬するＰＤＳＣＨに対応するＨＡＲＱ−ＡＣＫがslot nから転送された後、スロット
2021503814.tif 000056
から始めて適用されたＰＵＣＣＨでSP CSI reportを遂行する。
【０２６７】
前記selection commandは関連したCSI resource settingが設定される１つ以上のreport setting indicationを含む。
【０２６８】
ＰＵＣＣＨでSP CSI reportはType I CSIを支援する。
【０２６９】
PUCCH format 2に対するSP CSI reportは広帯域周波数細分性を有するType I CSIを支援する。PUCCH format 3または4でSP CSI reportは広帯域周波数細分性を有するType I sub-band CSI及びType II CSIを支援する。
【０２７０】
ＰＵＣＣＨが広帯域周波数細分性を有するType I CSIを運搬する時、PUCCH format 2及びPUCCH format 3または4により運搬されるCSI payloadは（報告された場合）ＲＩ、（報告された場合）ＣＲＩにかかわらず同一である。
【０２７１】
PUCCH format 3または4でType I CSI sub-band reportの場合、payloadは２つのpartに分離される。
【０２７２】
最初のPart（Part 1）は（報告された場合）ＲＩ、（報告された場合）ＣＲＩ、最初のコードワードのＣＱＩを含む。
【０２７３】
２番目のPart（Part 2）はＰＭＩを含み、ＲＩ＞４の時、２番目のコードワードに対するＣＱＩを含む。
【０２７４】
PUCCH format 3または4で運搬されるSP CSI reportingは、Type II CSI feedbackを支援するが、Type II CSI feedbackのPart 1のみ支援する。
【０２７５】
Type IIを支援するＰＵＣＣＨフォーマット３または４でCSI reportはUE capabilityに依存することができる。
【０２７６】
PUCCH format 3または4で運搬されるType II CSI report（Part 1のみ該当）はＰＵＳＣＨで運搬されるType II CSI reportと独立に計算される。
【０２７７】
端末がPUSCH format 2、3、または4でCSI reportingに設定される時、各々の ＰＵＣＣＨ資源は各々の候補（candidate）ＵＬ  ＢＷＰに対して設定される。
【０２７８】
端末がＰＵＣＣＨでactive SP CSI report configurationの設定を受けて、 deactivation commandを受信しない場合、ＣＳＩ報告がなされるＢＷＰがactive BWPである時、ＣＳＩ報告が遂行され、そうでなければ、ＣＳＩ報告は一時中止される。前記動作はP CSI on PUCCHの場合も同様に適用される。ＰＵＳＣＨ基盤ＳＰ  ＣＳＩ報告に対してBWP switchingが発生すれば、該当ＣＳＩ報告は自動的にdeactivationされたことと理解する。
【０２７９】
表７は、PUCCH formatの一例を示す。
【０２８０】
【表７】
2021503814.tif 000057
【０２８１】
表７で、
2021503814.tif 000058
はＯＦＤＭシンボルでＰＵＣＣＨ転送の長さを示す。
【０２８２】
そして、ＰＵＣＣＨ転送の長さによってPUCCH formatはshort PUCCHまたはlong PUCCHに区分される。
【０２８３】
表７で、PUCCH format 0及び2はshort PUCCHと、PUCCH format 1、3、及び4はlong PUCCHと呼称できる。
【０２８４】
以下、ＰＵＣＣＨ基盤CSI reportingに対し、short PUCCH基盤CSI reporting及びlong PUCCH基盤CSI reportingに区分してより具体的に説明する。
【０２８５】
図９は、short PUCCH基盤CSI reportingの情報payloadに対する一例を示す。
【０２８６】
short PUCCH基盤CSI reportingは、wideband CSI reportingに対してのみ使われる。
【０２８７】
Short PUCCH基盤CSI reportingは（blind decodingを避けるために）与えられたスロットでＲＩ／ＣＲＩにかかわらず同一な情報payloadを有する。
【０２８８】
前記情報payloadのサイズはCSI-RS resource set内で設定されたＣＳＩ−ＲＳの最も多いCSI-RS portによって互いに異なることがある。
【０２８９】
ＰＭＩとＣＱＩを含むpayloadがＲＩ／ＣＱＩに多様化される時、padding bitは互いに異なるRI／CRI valueと関連したpayloadをequalizeするためのencodingの前にＲＩ／ＣＲＩ／ＰＭＩ／ＣＱＩに追加される。
【０２９０】
そして、ＲＩ／ＣＲＩ／ＰＭＩ／ＣＱＩは必要の場合padding bitと共にエンコーディングできる。
【０２９１】
次に、long PUCCH基盤CSI reportingについて説明する。
【０２９２】
図１０は、long PUCCH基盤CSI reportingの情報payloadに対する一例を示す。
【０２９３】
前記long PUCCH基盤CSI reportingは、wideband reportingに対してshort PUCCHと同一なsolutionを使用することができる。
【０２９４】
そして、long PUCCH基盤CSI reportingはＲＩ／ＣＲＩにかかわらず同一なpayloadを有する。
【０２９５】
そして、subband reportingに対し、Two-part encoding（For Type I）が適用される。
【０２９６】
Part 1  １０１０はportの個数、CSI type、RI restrictionなどによって固定されたpayloadを有し、Part 2  １０２０はPart 1によって多様なpayload sizeを有することができる。
【０２９７】
ＣＲＩ／ＲＩは、ＰＭＩ／ＣＱＩのpayloadを決定するために最初にデコーディングできる。
【０２９８】
そして、ＣＱＩｉ（ｉ＝１、２）はｉ番目（ｉ−ｔｈ）コードワード（codeword、ＣＷ）に対するＣＱＩに対応する。
【０２９９】
Long PUCCHに対してType II CSI reportingはPart 1のみ運搬できる。
【０３００】
次世代のシステム（即ち、ＮＲシステム）では基地局でより多い数のアンテナ及びより広い帯域幅を使用するので、端末が基地局に転送するチャンネル状態情報（channel state information、ＣＳＩ）のサイズも大きくなることができる。この場合、大きいＣＳＩ（即ち、ＣＳＩペイロード（CSI payload））をより効果的に転送するためにはＰＵＣＣＨだけでなく、ＰＵＳＣＨを活用してＣＳＩを転送する方法が効率的でありうる。この際、ＰＵＳＣＨを介してＣＳＩを転送するために、基地局はＤＣＩ（Downlink Control information）（例：ＵＬグラント）を通じて端末にアップリンク資源を割り当てることができる。このようなＣＳＩ転送は必要によって周期的（periodic）になされることができる。
【０３０１】
ＰＵＳＣＨを基盤とする周期的なＣＳＩ報告（CSI report）を遂行するために、ＵＬグラントを周期的に転送しない、周期的なＰＵＳＣＨ資源を割り当てることが好ましいこともある。したがって、ＣＳＩのようなアップリンク制御情報（uplink control information、ＵＣＩ）を転送するための周期的なＰＵＳＣＨを割り当てる方法が考慮される必要がある。
【０３０２】
以下、本明細書ではＣＳＩ転送のためのＰＵＳＣＨ資源割り当て方法を提案し、特に既存のシステム（例：ＬＴＥシステム）及び／又は次世代のシステム（例：ＮＲシステム）で周期的なＰＵＳＣＨを転送するための方法である半−持続的スケジューリング（semi-persistent scheduling）の方法及び手続きとの連関性とこれを用いる方法に対して提案する。
【０３０３】
即ち、本明細書は周期的なＰＵＳＣＨを使用する半−持続的ＣＳＩ（semi-persistent CSI）の設定（または、構成）の設定方法及び手続きに対して提案する。但し、本明細書で提案する実施形態及び／又は方法はＰＵＣＣＨに基づいた半−持続的ＣＳＩ、非周期的ＣＳＩ（Aperiodic CSI）、及び／又は周期的ＣＳＩ（periodic CSI）にも拡張して適用できることは勿論である。また、本明細書で提案する実施形態及び／又は方法はこれと類似の設定方法及び手続きを使用する他の設定（configuration）（または、構成）（例：半−持続的スケジューリング、グラントのないアップリンク転送のための設定（即ち、grant-freeスケジューリング）など）にも拡張して適用できることは勿論である。
【０３０４】
前述したように、次世代のシステム（例：ＮＲシステム）ではＣＳＩ測定資源設定（CSI measurement resource configuration）（例：前述したCSI resource setting）、報告設定（report configuration）（例：前述したCSI reporting setting）の組合せによる多数個の測定連結設定（measurement link configuration）によって、端末がＣＳＩ測定及び／又は報告（CSI measurement／report）を遂行することができる。また、非周期的、半−持続的、または周期的ＣＳＩ報告及び／又は参照信号の再転送（RS-transmission）が支援できる。この際、半−持続的報告及び非周期的報告はＰＵＳＣＨまたはＰＵＣＣＨを介して支援され、周期的報告はＰＵＣＣＨを介して支援されるように設定することもできる。
【０３０５】
以下、本明細書では半−持続的に設定されたＣＳＩ転送時（即ち、半−持続的ＣＳＩ転送時）、資源設定と関連した具体的な方法及びそのための装置を提案する。
【０３０６】
まず、半−持続的に設定されたＣＳＩと関連した資源設定、報告設定などに対する構成方法について説明する。以下の説明で、半−持続的ＣＳＩに対する測定連結設定（measurement link configuration）がＫ個で構成されていることを仮定する。
【０３０７】
この際、資源設定（resource configuration、resource setting）は次の例示のように構成できる。
【０３０８】
例えば、各半−持続的ＣＳＩ測定がＰＵＳＣＨを介して転送される場合、ＰＵＳＣＨ資源設定は別途に遂行できる。このようなＰＵＳＣＨ資源の設定は、以下、本明細書で説明される方式により設定することを仮定することができる。このような設定は動的なＳＦＩ（dynamic slot format indicator）が構成されている場合、動的なＳＦＩによって参照ＲＳ（reference RS）が有効（validation）で、報告資源が有効な場合のみに端末が報告を遂行することを仮定することができる。そうでない場合、設定（configuration）によって資源が有効であることを仮定することができる。
【０３０９】
他の例を挙げると、半−持続的ＣＳＩ測定が共有（share）できるＳＰＳ（semi-persistent scheduling）ＰＵＳＣＨ資源を共通（common）に共有するように設定することもできる。このようなＳＰＳ  ＰＵＳＣＨの周期はネットワーク（例：基地局など）により設定されることができ、半−持続的報告の周期にＳＰＳ  ＰＵＳＣＨ資源が利用可能であるか、またはＰＵＳＣＨが利用可能な場合のみに、端末がＣＳＩ報告を遂行し、そうでない場合、端末は半−持続的ＣＳＩ報告を省略（skip）することを仮定することができる。類似するように、報告に対して動的なＳＦＩが構成されている場合、動的なＳＦＩによって参照ＲＳ（reference RS）が有効（validation）で、報告資源が有効な場合のみに端末が報告を遂行することを仮定することができる。そうでない場合、設定（configuration）によって資源が有効であることを仮定することができる。この際、１つの資源に共有する場合、これはデータ（data）との共有も可能であることを意味することができる。この場合、端末は重畳（overlap）する全ての半−持続的報告に対する併合（aggregation）を通じてＣＳＩを転送するか、またはそれらのうち、どんな優先順位（例：basedon CSI type IまたはII、ＢＬＥＲターゲットなど）によって１つを選択して転送するように設定されることもできる。
【０３１０】
また、参照資源（reference resource）が有効であるが、報告資源（reporting resource）が有効でなくてＣＳＩ報告が省略される場合、このような報告は追加的に次のような方式が考慮できる。本明細書で、参照資源はチャンネル状態（channel state）を判断及び／又は測定するために基地局から参照信号（reference signal）が端末に転送されることに用いられる資源を意味することができる。一例に、ＣＳＩ報告と関連した参照資源はＣＳＩ−ＲＳが割り当て及び転送される資源を意味することができる。
【０３１１】
まず、次の報告機会（reporting occasion）時に参照資源が有効でなくて報告を省略しなければならない場合、端末はＣＳＩ報告の省略の代わりに、以前に報告されていない測定を報告するように設定できる。または、今後有効なＰＵＳＣＨまたはＰＵＣＣＨに該当報告をピギーバック（piggyback）して転送するように設定されることもできる。
【０３１２】
動的なＳＦＩなどにより参照資源が有効でない（invalid）場合、端末はネットワーク設定（network configuration）によって以前の値を報告するように設定されることもできる。特に、ＳＰＳ  ＰＵＳＣＨの形態にＣＳＩを転送する場合、このような転送はＳＲＳの代わりにチャンネル推定（channel estimation）用途にも利用できるので、参照資源が有効でなくてＣＳＩ報告が省略（即ち、ドロップ（drop））されても報告資源が有効であれば、端末がＣＳＩを転送するものでありうる。この場合、該当転送は以前のＣＳＩ値を詰めるか、または０で詰めるものでありうる。または、ＧＣ（Group Common）ＰＤＣＣＨ流失（missing）によって参照資源が有効でない場合、少なくとも報告資源が有効な場合、端末は以前のＣＳＩ値を報告するか、または０値を転送することもできる。または、このような場合にも、端末は常にアップリンク転送省略を遂行するように設定できる。
【０３１３】
また、半−持続的ＣＳＩの場合、他のＣＳＩとの衝突によりドロップ（drop）されない場合であるが、チャンネルの衝突（collision）が発生する場合、次のような方法が考慮できる。即ち、半−持続的ＣＳＩ報告が他のチャンネル及び／又は他の参照信号などと衝突する場合、以下のような方式が適用できる。
【０３１４】
まず、端末がＰＵＣＣＨを介してＣＳＩ報告を遂行するようにスケジューリングされた場合に衝突を処理する方法について説明する。
【０３１５】
具体的に、ＣＳＩがＰＵＣＣＨにスケジューリングされているが、ＰＵＳＣＨとの衝突によってＰＵＳＣＨにＰＵＣＣＨのＵＣＩがピギーバックされる場合、ネットワーク（例：基地局など）が設定したベータ−オフセット（beta-offset）値によって、ＣＳＩピギーバックの有無が決定できる。この場合、ネットワークは非周期的ＣＳＩトリガー（aperiodic CSI trigger）を伴わなくても、ベータ−オフセットを動的に（dynamically）指示（indication）してピギーバックに対する処理を遂行するようにすることもできる。そして／または、このようなベータ−オフセットは各半−持続的ＣＳＩ報告設定別に異なるように設定されることもできる。また、このような処理は周期的ＣＳＩ報告設定に対しても遂行できる。
【０３１６】
または、半−持続的ＣＳＩの場合、端末が常に設定された資源のみにＣＳＩを転送すると仮定することもできる。したがって、ＰＵＳＣＨピギーバック時、ＣＳＩがドロップできる。
【０３１７】
次に、端末がＰＵＳＣＨを介してＣＳＩ報告を遂行するようにスケジューリングされた場合に衝突を処理する方法について説明する。
【０３１８】
具体的に、ＰＵＳＣＨ基盤のＣＳＩがスケジューリングされた他のＰＵＳＣＨと衝突する場合、ＰＵＳＣＨが非周期的ＣＳＩを含まない場合に限って端末はピギーバックを遂行することができる。この際、ベータ−オフセット値は前述した方式と類似するように処理できる。または、ＰＵＳＣＨ基盤のＣＳＩがスケジューリングされた他のＰＵＳＣＨと衝突する場合、半−持続的ＣＳＩのためのＰＳＵＣＨがドロップされることもできる。
【０３１９】
これとは異なり、ＰＵＳＣＨ基盤のＣＳＩが他のＰＵＣＣＨと衝突する場合、ＰＵＣＣＨがＣＳＩ衝突規則によってドロップされ、以後、ＣＳＩは含まないがＨＡＲＱ−ＡＣＫを含めば、端末はＰＵＳＣＨ転送時、ＨＡＲＱ−ＡＣＫをピギーバックするように設定できる。この際、端末がＰＵＣＣＨ及びＰＵＳＣＨの同時転送を支援しない場合、半−持続的ＣＳＩはドロップされることもできる。また、ＰＵＳＣＨ基盤のＣＳＩが他のＰＵＣＣＨと衝突する場合、ＰＵＣＣＨがＳＲ（scheduling request）を含めば、前述したＨＡＲＱ−ＡＣＫ方式と類似するように処理されるか、またはＣＳＩとＳＲをジョイントエンコーディングする方法も考慮できる。
【０３２０】
これとは異なり、ＰＵＳＣＨ基盤のＣＳＩがＳＲＳ（sounding reference signal）と衝突する場合、ＳＲＳがドロップされるか、ＣＳＩ−ＲＳがドロップされるか、または両方間の設定に依存することもできる。
【０３２１】
これとは異なり、該当資源でＰＵＳＣＨがスケジューリングされず、ＰＵＣＣＨがスケジューリングされない場合、転送するデータが存在し、該当資源がＴＢＳ（即ち、データ転送のための資源）に設定されれば、端末はＵＣＩピギーバックを通じてＣＳＩ及びデータを転送するように設定できる。そうでない場合、端末はＣＳＩのみを転送するように設定できる。
【０３２２】
これとは異なり、ＰＵＳＣＨ基盤のＣＳＩがgrant-free PUSCH（即ち、grantに基盤しないＰＵＳＣＨ）と衝突する場合、grant-free PUSCHがより高い優先順位を有するか、または、ＣＳＩまたはピギーバックＣＳＩのうちのいずれか１つがドロップされることもできる。これは、ネットワーク設定に基盤するものでありうる。
【０３２３】
前述したような衝突は１つのキャリア（carrier）内でないＵＬ（uplink）／ＳＵＬ（supplementary uplink）の間に起こることもでき、他のＵＬキャリアの間にも起こることができる。そのような状況によって各々異なる処理が可能である。
【０３２４】
まず、端末がＵＬ／ＳＵＬの構成を受けて、ＵＬ／ＳＵＬの間で動的にＰＵＳＣＨ資源を渡り歩くことができる時、半−持続的ＰＵＳＣＨの場合には１つのキャリアのみに限定されると仮定する。１つの端末が１つのＰＵＳＣＨのみ転送できる仮定が該当されるかと関連して次の通り処理方式らが考慮できる。
【０３２５】
例えば、仮にＰＵＣＣＨとＰＵＳＣＨがＵＬ／ＳＵＬで同時に転送できる場合、同一に半−持続的ＣＳＩ用ＰＵＳＣＨ（即ち、ＵＬ−ＳＣＨのないＰＳＵＣＨ）とＰＵＳＣＨの同時転送が可能であると仮定することができる。この際、電力制限（power limited）の状況のみでピギーバックされることを追加で仮定することもできる。
【０３２６】
そして／または、この場合、ＵＬ−ＳＣＨのないＰＵＳＣＨは同時にＵＬ／ＳＵＬで転送可能である。この際、電力制限（power limited）の状況のみでピギーバックされることを追加で仮定することができる。
【０３２７】
そして／または、この場合、前述したことにかかわらず、ＰＵＳＣＨの場合、１つのみ仮定することもできる。したがって、転送ＰＵＳＣＨにＣＳＩをピギーバックするか、またはＣＳＩをドロップする方法が考慮されることもできる。
【０３２８】
そして／または、この場合、少なくとも１つ以上のＵＬキャリア設定時、半−持続的ＣＳＩのＰＵＳＣＨは常にＵＬ−ＳＣＨ無しで転送されると仮定することもできる。この際、電力制限（power limited）の状況のみでピギーバックされることを追加で仮定することができる。
【０３２９】
他の例を挙げると、端末が多数のキャリアに対して設定された場合、前述したＳＵＬの場合と類似するようにＵＬ−ＳＣＨのないＰＵＳＣＨの場合、ＰＵＣＣＨと類似の処理をするよう設定することもできる。したがって、ＰＵＣＣＨ及びＰＵＳＣＨが同時に転送できる場合、端末はＵＬ−ＳＣＨのないＰＵＳＣＨと他のＰＵＳＣＨを同時に転送することもできる。
【０３３０】
または、ＵＬ−ＳＣＨのないＰＵＳＣＨと見なして、全てのＵＣＩが１つのＰＵＳＣＨから転送されるようにピギーバックを遂行するように設定することもできる。この場合、ＵＬ−ＳＣＨのないＰＵＳＣＨのＣＳＩが他のＰＵＳＣＨに転送されれば、該当チャンネルはドロップできる。
【０３３１】
または、このような設定は２つのＰＵＳＣＨが１つのキャリア内で衝突する場合のみに適用され、そうでない場合、ＵＬ−ＳＣＨのないＰＵＳＣＨとＰＵＳＣＨは同時に転送されるように設定できる。また、電力が制限されない場合に該当方式が支援され、電力が制限される場合にはキャリア間ＵＣＩピギーバックを遂行するように設定することもできる。
【０３３２】
また、端末がＣＳＩ報告に対する測定資源が有効でないと仮定する場合（例：動的なＳＦＩを受信できない場合）、ＣＳＩに対する報告が遂行されないことがある。または、端末の帯域幅部分（bandwidth part、ＢＷＰ）が測定参照資源と報告との間に変更される場合、該当ＢＷＰ内の報告設定が以前の参照資源に該当する資源集合（resource set）との測定連結（measurement link）が存在しない場合には、端末はＣＳＩ報告をドロップすることができる。
【０３３３】
例えば、ＤＬ  ＢＷＰ１のＲＳ設定１（RS configuration１）とＵＬ  ＢＷＰ１の報告設定１（report configuration １）が１つの連結（link）という時、新たなＤＬ  ＢＷＰ２はＲＳ設定１を含むが、ＵＬ  ＢＷＰ２は報告設定１の代わりに報告設定２を含むことができる。この際、報告設定２は、ＲＳ設定１と測定連結（measurement link）の関係のない時はＲＳ設定１に対する報告をドロップするものでありうる。即ち、参照資源に対することはＤＬ  ＢＷＰに従い、測定もＤＬ  ＢＷＰに従って遂行するが、報告設定がＵＬ  ＢＷＰの変更によって変更される場合、端末は該当報告設定にマッピングされる資源設定のみ有効であると仮定し、有効でない参照資源に対しては報告しないように設定できる。これと類似するように、ＤＬ  ＢＷＰが変更されて参照資源が変更される時にも、報告設定と変更された資源設定とのマッピングが存在しない場合、端末はこれを有効でないと判断することができる。
【０３３４】
このために、各ＤＬ  ＢＷＰ別に資源設定が存在し、このような資源がマッピングされると仮定することができる。この際、資源設定がＢＷＰの以外の領域に対する設定を含む場合、ＢＷＰ内の資源のみ有効であると仮定することができる。
【０３３５】
そして／または、各ＵＬ  ＢＷＰ別に報告設定が存在し、このような報告設定が存在すると仮定することもできる。この場合、各報告類型、資源などがＢＷＰ別に設定できる。
【０３３６】
そして／または、各資源−報告連結設定（即ち、資源−報告マッピング）がＢＷＰにかかわらず構成されることもできる。一例に、対のない場合（unpaired）、このようなマッピング方式が各ＤＬ−ＵＬ  ＢＷＰ対によって設定できる。
【０３３７】
そして／または、フィードバック方式１の場合、端末は活性化（active）ＤＬ  ＢＷＰ内の資源設定を有効であると仮定することができる。また、端末は活性化ＵＬ  ＢＷＰ内の資源設定を有効であると仮定することができる。また、端末は測定連結設定のうち、有効な資源−報告マッピングに対してのみフィードバックするように設定されることもできる。このような方法は、周期的ＣＳＩ（periodic CSI、Ｐ−ＣＳＩ）または半−持続的ＣＳＩ（semi-persistent CSI、ＳＰ−ＣＳＩ）のみに適用されると仮定することもできる。
【０３３８】
そして／または、各確認命令（validation command）時、端末が設定を受けた ＵＬ  ＢＷＰ別に活性化できるＣＳＩ報告設定の設定を受けることができる。これは、１つのＭＡＣ  ＣＥまたはＤＣＩにより設定を受けたＵＬ  ＢＷＰに対して各々活性化されるＳＰ−ＣＳＩを設定することを意味することができる。この場合、各ＵＬ  ＢＷＰ別報告設定のインデックス（index）（例：ＩＤ）を用いて、ＵＬ  ＢＷＰインデックス無しで、またはＵＬ  ＢＷＰ別設定が与えられる時は各設定されたＵＬ  ＢＷＰ別設定に対して活性化が遂行できる。
【０３３９】
例えば、ＵＬ  ＢＷＰ  ４個に対し、２、３、４、５個ずつ報告の設定を受けた場合、０−１、２−４、５−８、９−１３のインデックスを各ＵＬ  ＢＷＰに割り当てて、各インデックス別活性化が遂行できる。該当インデックスは該当ＵＬ  ＢＷＰが活性化された場合とＤＣＩ及び／又はＭＡＣ  ＣＥに活性化された場合のみに活性化することを仮定する。
【０３４０】
また、１つの資源設定は多数のＵＬ  ＢＷＰに属することもできる。したがって、各報告設定別に適用されるＵＬ  ＢＷＰを設定し、各インデックスを使用して活性化が遂行されることもできる。該当報告設定が活性化され適用されたＵＬ  ＢＷＰのうちの１つが活性化された場合、該当報告は有効であると仮定することができる。また、該当報告に連結された資源を使用して、端末は測定を遂行することができる。
【０３４１】
または、測定連結インデックス（measurement link index）に対してもこれと類似の方式が適用されることもできる。測定連結設定別に適用可能なＵＬ  ＢＷＰ集合とＤＬ  ＢＷＰ集合が端末に設定できる。各測定連結設定は各集合で１つずつＵＬ／ＤＬ  ＢＷＰが活性化された場合に有効であると仮定することができる。
【０３４２】
端末は活性化された／有効な報告集合（active／valid reporting set）を活性化ＵＬ  ＢＷＰによって決定し、該当報告が連係した資源設定によって参照資源を指定することができる。仮に、参照資源が現在活性化ＢＷＰ内に含まれない場合、端末は該当参照資源が有効でないと仮定して、これをドロップすることができる。このような方式は周期的ＣＳＩまたは半−持続的ＣＳＩのみに適用されることもできる。
【０３４３】
前述したＣＳＩと関連した設定に対して整理すると、次の通りである。
【０３４４】
まず、測定連結設定は報告設定（reporting config）、資源設定（resource config）、測定設定（measurement config）、利用可能なＵＬ  ＢＷＰの集合、利用可能なＵＬ  ＢＷＰの集合（または、利用可能なＤＬ／ＵＬ  ＢＷＰ対の集合）などを含むことができる。該当測定連結設定に基づいて、端末は現在活性化されたＤＬ／ＵＬ  ＢＷＰによって適用可能な測定連結設定を決定し、そのうち、活性化された設定のみ有効であると仮定することができる。また、測定連結設定のインデックス及び／又は報告設定のインデックスは活性化されたＭＡＣ−ＣＥ及び／又はＤＣＩを介して転送されると仮定することができる。また、報告設定のインデックスが転送される場合、該当設定と連係した測定連結設定は有効であると仮定することができる。
【０３４５】
次に、測定報告設定は利用可能なＵＬ  ＢＷＰの集合を含むことができる。該当測定連結設定に基づいて、端末は現在活性化されたＵＬ  ＢＷＰによって適用可能な測定報告設定を決定し、そのうち、活性化された設定のみ有効であると仮定することができる。また、測定連結設定のインデックス及び／又は報告設定のインデックスは活性化されたＭＡＣ−ＣＥ及び／又はＤＣＩを介して転送されると仮定することができる。また、報告設定のインデックスが転送される場合、該当設定と連係した測定連結設定は有効であると仮定することができる。だけでなく、測定連結設定のインデックスが転送される場合、該当測定連結に属した報告設定は有効であると仮定することができる。
【０３４６】
次に、ＢＷＰ別測定報告及び参照信号（即ち、参照信号の資源）設定の場合、端末は活性化されたＢＷＰ内の報告及び参照信号設定のうち、活性化された集合が活性化されたと仮定することができる。この際、活性化されたＢＷＰが変更されれば、該当集合が変更されると仮定することができる。
【０３４７】
この際、ＤＬ  ＢＷＰとＵＬ  ＢＷＰが別途に変更されることを仮定して、報告設定と参照信号設定（即ち、参照信号資源設定）を別途に処理する必要がありうる。この場合、ＵＬ  ＢＷＰによって報告設定集合が変更され、端末は該当報告設定のうち、活性化された報告設定に連係した参照信号が有効な測定連結設定に対してのみ報告することを仮定することができる。
【０３４８】
または、全てのＤＬ−ＵＬ  ＢＷＰ対に対し、報告設定及び参照信号設定を指定することもでき、活性化されたＤＬ−ＵＬ  ＢＷＰ対によって報告設定及び参照信号設定が選択されることもできる。
【０３４９】
そして／または、フィードバック方式２の場合、端末はＵＬ  ＢＷＰによって報告設定を決定し、報告集合に連係した参照資源に対する測定を活性化されたＤＬ  ＢＷＰ外であれば、測定ギャップ（measurement gap）などを通じて遂行するように設定できる。この場合、端末は測定ギャップに基づいて、該当参照資源への変換（switching）及び該当参照資源に対する測定を遂行することができる。このような方式は非周期的ＣＳＩ（aperiodic CSI、ＡＰ−ＣＳＩ）のみに適用されることもできる。
【０３５０】
ＣＳＩ報告と関連したＣＳＩ報告設定及び参照信号設定（即ち、参照信号資源設定）（例：ＣＳＩ−ＲＳ資源設定）は前述したように設定及び／又は仮定できる。
【０３５１】
前述したようなＣＳＩ報告及び測定と関連して、以下、本明細書では半−持続的ＣＳＩ設定に対する方法（以下、第１実施形態）、半−持続的ＣＳＩ設定に対するＤＣＩを識別する方法（以下、第２実施形態）、半−持続的ＣＳＩ設定とＢＷＰとの間の活性化設定方法（以下、第３実施形態）、スロットフォーマット及び／又はＴＤＤ（time division duplexing）構成と関連したＣＳＩ設定の確認方法（以下、第４実施形態）、及びＣＳＩ設定の有効性を処理する方法（以下、第５実施形態）について具体的に説明する。
【０３５２】
以下に説明される実施形態は説明の便宜のために区分されるものであり、各実施形態の構成が相互結合または置換されて構成できることは勿論である。
【０３５３】
また、以下に説明される実施形態は周期的なＰＵＳＣＨを用いる半−持続的ＣＳＩ設定に対するものとして記述されるが、本明細書で提案する方法はＰＵＣＣＨに基づいた半−持続的、周期的、非周期的ＣＳＩ設定などにも拡張して適用できることは勿論である。
【０３５４】
（第１実施形態）
【０３５５】
まず、半−持続的ＣＳＩを設定する方法について説明する。前述したように、持続的なＣＳＩ転送のために周期的なＰＵＳＣＨを端末に割り当て（または、設定）できる。この際、周期的なＰＵＳＣＨを端末に割り当てる方法に、既存の半−持続的スケジューリング（semi-persistent scheduling、ＳＰＳ）及び／又はグラントのないＵＬ転送（即ち、grant-free UL転送）方法などが考慮できる。
【０３５６】
既存のシステム（例：ＬＴＥシステム）及び次世代のシステム（例：ＮＲシステム）では端末に発生するグラントとＵＬ転送との間の遅延時間（grant-to-UL transmission delay）またはシグナリングオーバーヘッドを減らすために、端末に物理階層シグナリング（例：Ｌ１シグナリング）及び／又は上位階層シグナリング（higher layer signaling）などを用いて周期的なＰＵＳＣＨ資源を割り当てる方法が考慮される。したがって、（ユーザデータ、即ち、端末のデータのための）周期的なＰＵＳＣＨ割り当てと類似の方式を用いてＰＵＳＣＨを割り当てて、該当ＰＵＳＣＨにアップリンク制御情報（ＵＣＩ）を転送する方式を追加的に設定する方法が考慮できる。
【０３５７】
まず、既存のＳＰＳ及び／又はgrant-free手続きに基づいてＣＳＩのための周期的なＰＵＳＣＨを設定する方法が考慮できる。即ち、ＣＳＩのための周期的なＰＵＳＣＨを割り当てるために、ＳＰＳ及び／又はgrant-free設定（grant-free configuration）が利用できる。特に、該当ＳＰＳ及び／又はgrant-free設定に任意の（random）または予め設定された（pre-configured）ＵＣＩ転送の可否及び／又はＵＣＩピギーバックの可否などが含まれることができる。
【０３５８】
具体的に、端末は次のようなモード１乃至３のうち、少なくとも１つを支援するように設定できる。
【０３５９】
例えば、該当ＳＰＳ及び／又はgrant-free設定に基づいて、端末は該当ＰＵＳＣＨでデータのみを転送するように設定できる（モード１）。
【０３６０】
他の例を挙げると、該当ＳＰＳ及び／又はgrant-free設定に基づいて、端末は該当ＰＵＳＣＨでデータ（即ち、端末データ、ＵＬ−ＳＣＨ）無しでＵＣＩのみを転送するように設定されることもできる（モード２）。この際、転送可能なＵＣＩは物理階層シグナリング（例：Ｌ１シグナリング）及び／又は上位階層シグナリングなどにより予め設定できる。
【０３６１】
更に他の例を挙げると、該当ＳＰＳ及び／又はgrant-free設定に基づいて、端末はデータに転送される資源要素（resource element）の一部を穿孔（puncturing）またはレートマッチングしてＵＣＩを転送するように設定されることもできる（モード３）。この際、転送可能なＵＣＩ及び／又は各ＵＣＩ別転送方法（例：穿孔、レートマッチングなど）は物理階層シグナリング（例：Ｌ１シグナリング）及び／又は上位階層シグナリングなどにより予め設定できる。
【０３６２】
前述したモードのうち、用いられるモード、利用可能なモード、ピギーバック可能なＵＣＩの種類（type）及び／又は各ＵＣＩのピギーバック方法に対する情報は、ＳＰＳ及び／又はgrant-free設定に用いられる物理階層シグナリング及び／又は上位階層シグナリングを通じて伝達されるか、または予め定義されることもできる。一例に、基地局は上位階層シグナリングを通じて利用可能なモード、転送可能なＵＣＩ及び該当ＵＣＩの転送方法を端末に設定し、これを物理階層シグナリングのＣＱＩ要請フィールド（CQI request field）を通じて示すことができる。
【０３６３】
また、前記ＵＣＩピギーバックモードにおいて、ＵＣＩピギーバックは別途のシグナリング無しで一般的なＰＵＳＣＨでのＵＣＩ転送と同一な方式により遂行できる。または、別途のシグナリングのない場合、一般的なＰＵＳＣＨでのＵＣＩに使われるピギーバック方法が適用されることもできる。
【０３６４】
前述したモードの使用の可否及び／又は使用の可否は、別途のフィールド（field）またはパラメータ（parameter）追加無しで、物理階層シグナリング及び／又は上位階層シグナリングを通じて暗示的に指示できる。具体的に、上位階層シグナリングの一部のパラメータ値の組合せ、物理階層シグナリングの一部のフィールド値の組合せ、及び／又は各々が特定の値を示すか、またはどんな範囲内に含まれる場合、端末は特定モードを用いるか、または利用可能であると判断することができる。
【０３６５】
例えば、ＳＰＳ及び／又はgrant-free設定に用いられる変調及びコーディング方式（Modulation and Coding scheme、ＭＣＳ）が一般的なＰＵＳＣＨ転送で使われない値（例：保留された値（reserved value））または特定値を示す場合、端末はこれをモード２（即ち、UCI only mode）と判断することができる。または、割り当てられたＲＢ及び／又は転送可能なＴＢＳ（Transport block size）が一定値または一定値以下の場合、端末はＵＲＬＬＣユーザデータ転送のためのモード１（即ち、DATA only mode）と判断するか、またはサイズの小さいＵＣＩ転送のためのモード２（即ち、UCI only mode）と判断することもできる。
【０３６６】
また、ＣＳＩ転送のためには転送のためのアップリンク資源だけでなく、端末がチャンネル状態を把握するために用いられる（基地局により転送される）参照信号（reference signal）などに対する追加的な設定が必要でありうる。また、このようなＣＳＩ情報は時間に敏感（time-sensitive）であるので、一般的なＵＬ−ＳＣＨ転送とは異なり、転送が失敗してもＨＡＲＱ方式による再転送が不必要でありうる。
【０３６７】
したがって、既存のＳＰＳ及び／又はgrant-free設定と別途に半−持続的ＣＳＩ設定を構成し、かつＣＳＩ転送のためのＰＵＳＣＨ割り当てをＳＰＳ及び／又はgrant-free方式と類似するように適用する方法も考慮できる。
【０３６８】
具体的に、ＣＳＩ転送のための周期的なＰＵＳＣＨ資源割り当てのために、ＳＰＳ及び／又はgrant-free方式とは異なる別途の設定、半−持続的ＣＳＩ設定（ＳＰ−ＣＳＩ設定）が利用できる。
【０３６９】
例えば、ＳＰ−ＣＳＩ設定は半−静的な（semi-static）ＳＰ−ＣＳＩ設定及び動的な（dynamic）ＳＰ−ＣＳＩ設定の２部分で構成できる。この際、半−静的なＳＰ−ＣＳＩ設定はアップリンク資源を除外した既存の周期的／非周期的ＣＳＩ報告と類似するようにＣＱＩ、ＰＭＩ、ＲＩ測定に関する設定と周期性（periodicity）に対する設定を含むことができる。動的なＳＰ−ＣＳＩ設定は端末がＣＳＩ転送に用いるＰＵＳＣＨ資源とオフセットに対する情報、及び必要の場合、ＣＳＩ測定に必要な情報を含むことができる。
【０３７０】
（第２実施形態）
【０３７１】
また、グラント（grant）のない類型２のＵＬデータ転送で、ＰＵＳＣＨ上のＳＰ−ＣＳＩはＤＣＩにより活性化／不活性化できる。ＳＰ−ＣＳＩの設計で、ＳＰ−ＣＳＩが転送される位置（即ち、半−持続的ＰＵＳＣＨ資源設定）で‘資源’を構成する方法及びＳＰ−ＣＳＩを活性化する方法が考慮される必要がありうる。
【０３７２】
ＳＰ−ＣＳＩに対するＰＵＳＣＨがＵＬ−ＳＣＨ無しでＳＰ−ＣＳＩのみを転送すると仮定すれば、端末はＵＬ−ＳＣＨのないＰＵＳＣＨに対してＵＣＩピギーバックと見なすことができる。この場合、ＳＰ−ＣＳＩ  ＰＵＳＣＨ構成を他の類型１／２構成と分離するメカニズムが要求できる。ＳＰ−ＣＳＩに対するＰＵＳＣＨがＵＬ−ＳＣＨを運搬できると仮定すれば、一般的に類型２の構成と類似することができる。ＵＬ−ＳＣＨに対する類型２の資源は周期的であり、ＵＬ−ＳＣＨに対するＳＰ−ＣＳＩ周期性と類型２の周期性が整列される可能性があるので、ＵＬ−ＳＣＨの有無にかかわらずＳＰ−ＣＳＩのためのＰＵＳＣＨ資源が構成される必要がありうる。
【０３７３】
このような場合、類型２のフレームワーク（type 2 framework）はＳＰ−ＣＳＩのために再使用できる。
【０３７４】
例えば、与えられたセル（cell）に少なくとも２つの類型２の設定が支援できる。この際、２つの設定が提供されれば、１つはＵＬ−ＳＣＨのないＳＰ−ＣＳＩ用に構成され、他の１つはＵＬ−ＳＣＨで構成された類型２の用途に構成できる。または、単一構成が与えられれば、ＳＰ−ＣＳＩが活性化された場合、ＵＬ−ＳＣＨ専用またはＳＰ−ＣＳＩがあるＵＬ−ＳＣＨに対し、１つの類型２の構成が用いられるように設定することができる。
【０３７５】
他の例を挙げると、類型２に対する活性化ＤＣＩで２つの設定が与えられれば、他のＲＮＴＩはＵＬ−ＳＣＨのないＳＰ−ＣＳＩのＰＵＳＣＨとＵＬ−ＳＣＨの類型２のＰＵＳＣＨとの間に利用できる。
【０３７６】
更に他の例を挙げると、類型２に対する活性化ＤＣＩで１つの構成が与えられれば、活性化ＤＣＩで非周期的ＣＳＩがトリガーされる場合、ＳＰ−ＣＳＩが有効であると見なされることができる。そうでなければ、非周期的なＣＳＩが活性化されていないと見なされることができる。
【０３７７】
ＳＰ−ＣＳＩ  ＰＵＳＣＨがＵＬ−ＳＣＨ無しでＣＳＩのみを運搬できる類型２の構成と異なるＳＰ−ＣＳＩ  ＰＵＳＣＨに対して専用構成が仮定されれば、異なる構成の間に別途のＲＮＴＩが用いられるように設定できる。
【０３７８】
与えられたセル当たり１つのＳＰ−ＣＳＩ報告設定が存在するか、または物理階層基盤の活性化信号を通じて１つ以上の動的セルが選択できる多重ＳＰ−ＣＳＩ報告構成が存在できるか否かも判断される必要がある。一例に、物理階層シグナリング（に：L1 signaling）が１つ以上のＳＰ−ＣＳＩ報告設定を選択しなければならない場合、ＵＬグラントで非周期的なＣＳＩトリガーフィールドを再使用する方法も考慮できる。即ち、非周期的ＣＳＩトリガーフィールドはＳＰ−ＣＳＩ構成のうちの１つ以上を活性化するために再使用できる。この場合、ＳＰ−ＣＳＩ構成の集合と非周期的ＣＳＩトリガーの値との間のマッピングが半静的に構成されると仮定することができる。
【０３７９】
前述した内容と関連して、半持続的ＣＳＩ設定のためのＤＣＩを識別する方法について以下に具体的に説明する。
【０３８０】
前述した第１実施形態で説明された方法で、ＣＳＩ転送に用いるＰＵＳＣＨ資源情報はＤＣＩなどを介して伝達できる。この際、用いられるＤＣＩフォーマットに端末のブラインドデコーディング（blind decoding）数を減らすために一般的なＰＵＳＣＨ資源割り当てに用いられるＵＬグラントと同一であるか、または最小限同一なビットサイズのＤＣＩを用いる方法が利用できる。
【０３８１】
この場合、端末が受信した同一なサイズのＤＣＩのうち、一般的なＵＬグラントと半−持続的ＳＰ−ＣＳＩのＰＵＳＣＨ割り当てのためのＤＣＩを区別する方法が追加的に必要でありうる。このために、次のような方法１乃至３が考慮できる。
【０３８２】
（方法１）
【０３８３】
まず、ＤＣＩフォーマットに一般的なＵＬグラント（即ち、一般的なＵＬ転送のためのＤＣＩ）と半−持続的ＣＳＩのＰＵＳＣＨ割り当てのためのＤＣＩを区別するための指示子（例：ｎビットの指示子、ここで、ｎは自然数）（即ち、指示情報）を含める方法が考慮できる。
【０３８４】
このような指示子はＵＬグラントと半−持続的ＣＳＩのＰＵＳＣＨ割り当てのためのＤＣＩだけでなく、ＳＰＳ及び／又はgrant-freeのためのＤＣＩを区別するためにも利用できる。
【０３８５】
（方法２）
【０３８６】
そして／または、端末がDCI for SP-CSIとUL grantを区別するために、基地局が半−持続的ＣＳＩのためのＤＣＩのＣＲＣスクランブリング（CRC scrambling）を他の端末識別子（UE identifier）（例：Ｃ−ＲＮＴＩ、ＳＰＳ−Ｃ−ＲＮＴＩ）と他の別途のＲＮＴＩで遂行するように設定する方法も考慮できる。即ち、ＤＣＩに対するＣＲＣスクランブリングに用いられるＲＮＴＩを介してＵＬグラントと半−持続的ＣＳＩのＰＵＳＣＨ割り当てのためのＤＣＩが区分できる。
【０３８７】
この際、用いられるＲＮＴＩは基地局の上位階層シグナリングにより端末に割り当てられるか、または別途の予め設定された規則などにより既存に割り当てを受けたＲＮＴＩ（例：Ｃ−ＲＮＴＩ、ＳＰＳ−Ｃ−ＲＮＴＩなど）から（端末により）導出されることもできる。
【０３８８】
また、前述した方法２を用いるに当たって、多数の半−持続的ＣＳＩ設定（SP-CSI configuration）が１つの端末に１つのサービングセル（serving cell）に設定できる場合、多数のＲＮＴＩが各々の半−持続的ＣＳＩ設定に対して割り当てできる。即ち、半−持続的ＣＳＩ設定別にＤＣＩのスクランブリングに用いられるＲＮＴＩが異なるように設定できる。
【０３８９】
また、前述した方法２を用いるに当たって、多数の半−持続的ＣＳＩ設定が１つの端末に１つのサービングセルに設定できる場合、ＤＣＩフォーマットにこれを区別するための指示子（例：ｎビットの指示子、ここで、ｎは自然数）（即ち、指示情報）が含まれることもできる。即ち、前記指示子を通じて、多数の半−持続的ＣＳＩ設定が区別できる。
【０３９０】
また、前述した方法２を用いるに当たって、多数の半−持続的設定が１つの端末に１つのサービングセルに設定されることができ、既存のＤＣＩフォーマットを用いる場合、これを区別するために、既存のＤＣＩフィールドが利用されることもできる。
【０３９１】
例えば、既存のＵＬグラントを半−持続的ＣＳＩのためのＤＣＩのＤＣＩフォーマットに用いる場合、ＨＡＲＱプロセスＩＤ（HARQ process ID）が各半−持続的ＣＳＩ設定のインデックスを指示するように設定できる。または、ＣＱＩ要請フィールド（CQI request field）を通じて互いに異なる半−持続的ＣＳＩ設定のインデックスが指示されることもできる。具体的に、非周期的ＣＳＩトリガーを示す情報は１つまたは多数の半−持続的ＣＳＩ設定を活性化するために利用できる。この際、非周期的ＣＳＩトリガーを示す情報の各ビット及び／又は各値は半−持続的ＣＳＩ設定または半−持続的ＣＳＩ設定の集合にマッピングされることもできる。
【０３９２】
即ち、前述したように、非周期的ＣＳＩトリガーフィールドはＳＰ−ＣＳＩ構成のうちの１つ以上を活性化するために再使用できる。この場合、ＳＰ−ＣＳＩ構成の集合と非周期的ＣＳＩトリガー値との間のマッピングは半静的に構成されると仮定することができる。
【０３９３】
また、前述した方法２を用いるに当たって、半−持続的ＣＳＩ設定とＳＰＳ及び／又はgrant-free設定が互いに異なる活性化／不活性化確認地点（activation／deactivation validation point）を用いるように設定することもできる。
【０３９４】
例えば、半−持続的ＣＳＩ設定のためのＲＮＴＩ、ＳＰ−ＣＳＩ  Ｃ−ＲＮＴＩは半−持続的ＣＳＩの活性化または不活性化のみに用いられるように設定できる。一方、ＳＰＳ及び／又はgrant-freeのためのＲＮＴＩ、ＣＳ（configured scheduling）−ＲＮＴＩは活性化と不活性化だけでなく、ＵＬ−ＳＣＨ再転送のＰＵＳＣＨ資源を割り当てる動的なグラント（dynamic grant）にも利用できる。したがって、互いに異なるＲＮＴＩを用いてもＳＰ−ＣＳＩ  Ｃ−ＲＮＴＩではより柔軟な確認地点（validation point）を持っていくこともできる。また、ＣＳＩなど、ＵＣＩのペイロードサイズ（payload size）は既存のＵＬ−ＳＣＨのＴＢＳとは異なる方式により獲得できるので、このような計算に用いられるパラメータも半−持続的ＣＳＩシグナリングのための確認地点（validation point）のみに追加で利用できる。
【０３９５】
具体的に、半−持続的ＣＳＩのためのＲＮＴＩ（例：ＳＰ−ＣＳＩ  Ｃ−ＲＮＴＩ）を用いたＤＣＩシグナリングと関連して、不活性化に用いられる確認地点（validation point）のみを決定し、その他のシグナリングは全て活性化と仮定するものでありうる。この際、不活性化に使われるＤＣＩフィールドには、次のようなものが利用できる。
【０３９６】
−周波数領域上資源割り当て（frequency-domain resource assignment）
【０３９７】
−時間領域上資源割り当て（time-domain resource assignment）
【０３９８】
−ＨＡＲＱプロセス番号（HARQ process number、ＨＰＮ）
【０３９９】
−ＭＣＳ（Modulation and coding scheme）
【０４００】
−ＮＤＩ（New data indicator）
【０４０１】
−ＲＶ（Redundancy version）
【０４０２】
−スケジューリングされたＰＵＳＣＨに対するＴＰＣ命令（TPC command for scheduled PUSCH）
【０４０３】
一般的なＤＣＩ（例：ＵＬグラント）と区分するために、このようなフィールドの値は全部０または１で表現できる。特に、不活性化メッセージ（deactivation message）は該当メッセージに対する転送及び資源割り当て（resource allocation）を必要としないので、転送パラメータの決定と資源割り当てに用いられる資源割り当て（resource assignment）、ＨＡＲＱプロセス番号、ＭＣＳ及び／又はＲＶフィールドが用いられるように設定することができる。また、前述したＤＣＩのフィールドのうち、ＤＣＩフォーマット０＿０及びＤＣＩフォーマット０＿１に共通的に用いられるフィールドのみを定義することもできる。このような不活性化判断条件はＳＰＳ及び／又はgrant-freeの不活性化ＤＣＩの判断条件と同一に設定できる。
【０４０４】
他の例を挙げると、ＣＳ−ＲＮＴＩを用いたＤＣＩシグナリングに用いられる確認地点（validation point）に一部の条件を追加して、半−持続的ＣＳＩの活性化または不活性化シグナリングに対する有効性確認（validity check）が遂行されることもできる。具体的に、端末はＵＬ−ＳＣＨトリガーリングのない非周期的ＣＳＩに用いられる条件とＳＰＳ及び／又はgrant-free活性化の確認地点（validation point）を同時に満たすＤＣＩを半−持続的ＣＳＩ活性化ＤＣＩと判断するように設定できる。
【０４０５】
（方法３）
【０４０６】
また、ＳＰＳ及び／又はgrant-freeに用いられるＲＮＴＩはＳＰＳ及び／又はgrant-free設定の活性化／不活性化及びＳＰＳ及び／又はgrant-free転送の再転送グラントにも利用できる。前述したように、ＣＳＩ転送において端末が転送するＣＳＩ情報は時間に敏感（time-sensitive）であるので、ＨＡＲＱ方式に基づいた再転送が不必要でありうる。
【０４０７】
したがって、ＳＰＳ及び／又はgrant-free設定とは異なり、半−持続的ＣＳＩでＤＣＩの用途はより制限的に設定できる。この場合、ＳＰＳ及び／又はgrant-freeに用いられるＲＮＴＩを使用して半−持続的ＣＳＩのＤＣＩを転送してもＳＰＳ及び／又はgrant-free転送手続きに与える影響は小さいことがある。
【０４０８】
これと関連して、端末が一般的なＵＬグラントと半−持続的ＣＳＩのためのＤＣＩを区別するために、基地局が半−持続的ＣＳＩに対するＤＣＩのＣＲＣスクランブリングを行う場合、ＳＰＳ及び／又はgrant-freeで用いられたＲＮＴＩを借用または利用するように設定する方法が考慮されることもできる。この際、ＳＰＳ及び／又はgrant-freeで用いられるＲＮＴＩが多数個の場合、ＲＮＴＩの選択は次の例示のように遂行できる。
【０４０９】
例えば、半−持続的ＣＳＩが設定されたサービングセルで用いられるＳＰＳ及び／又はgrant-freeのためのＲＮＴＩが１つである場合、基地局及び／又は端末は該当ＲＮＴＩをそのまま用いるか、または予め設定された規則によって該当ＲＮＴＩを変更して用いることもできる。
【０４１０】
他の例を挙げると、半−持続的ＣＳＩが設定されたサービングセルで用いられるＳＰＳ及び／又はgrant-freeのためのＲＮＴＩが１つであり、多数個の半−持続的ＣＳＩ設定が存在できる場合、基地局及び／又は端末は該当ＲＮＴＩをそのまま用いるか、または予め設定された規則に従って該当ＲＮＴＩを変更して用いることもできる。もし、半−持続的ＣＳＩ設定に、ある固有のインデックスが存在する場合、基地局及び／又は端末は該当インデックスを用いてＳＰＳ及び／又はgrant-freeのためのＲＮＴＩを変更するように設定できる。
【０４１１】
更に他の例を挙げると、半−持続的ＣＳＩが設定されたサービングセルで用いられるＳＰＳ及び／又はgrant-freeのためのＲＮＴＩが多数個であり、半−持続的ＣＳＩ設定が１つである場合、基地局及び／又は端末は割り当てられたＳＰＳ及び／又はgrant-freeのためのＲＮＴＩのうち、任意の値を用いることができる。または、ＳＰＳ及び／又はgrant-free設定に、ある固有のインデックスが存在する場合、基地局及び／又は端末は最初、最後、または予め設定されたインデックスのＳＰＳ及び／又はgrant-freeのためのＲＮＴＩを用いるように設定できる。この際、基地局及び／又は端末は該当ＳＰＳ及び／又はgrant-freeのためのＲＮＴＩをそのまま用いるか、または予め設定された規則に従って変更して用いるように設定できる。
【０４１２】
更に他の例を挙げると、半−持続的ＣＳＩが設定されたサービングセルで用いられるＳＰＳ及び／又はgrant-freeのためのＲＮＴＩが多数個であり、多数個の半−持続的ＣＳＩ設定が存在し、ＳＰＳ及び／又はgrant-free設定と半−持続的ＣＳＩ設定に各々インデックスが存在する場合、基地局及び／又は端末は同一なインデックスのＳＰＳ及び／又はgrant-freeのためのＲＮＴＩを選択するように設定できる。この際、基地局及び／又は端末は該当ＲＮＴＩをそのまま用いるか、または予め設定された規則に従って変更して用いるように設定できる。
【０４１３】
また、前述した方法３を用いるに当たって、１つのＲＮＴＩが１つのサービングセルで２つ以上の半−持続的ＣＳＩ設定、またはＳＰＳ及び／又はgrant-free設定と関連する場合、ＤＣＩフォーマットにこれを区別するための指示子（例：ｎビットの指示子、ここで、ｎは自然数）（即ち、指示情報）が含まれるように設定することができる。この場合、同一のＲＮＴＩを用いてＣＲＣスクランブリングされたＤＣＩが各設定別に区別できる。
【０４１４】
また、前述した方法３を用いるに当たって、１つのＲＮＴＩが１つのサービングセルで１つの半−持続的ＣＳＩ設定と１つのＳＰＳ及び／又はgrant-free設定と同時に関連する場合、半−持続的ＣＳＩ設定とＳＰＳ及び／又はgrant-free設定は互いに異なる活性化／不活性化確認地点を用いるように設定できる。
【０４１５】
また、前述した方法３を用いるに当たって、１つのＲＮＴＩが１つのサービングセルで１つのＳＰＳ及び／又はgrant-free設定と１つまたはその以上の半−持続的ＣＳＩ設定と同時に関連する場合、半−持続的ＣＳＩ設定とＳＰＳ及び／又はgrant-free設定は同一な確認地点（validation point）を用いるように設定できる。また、確認地点を除外したＤＣＩの一部のフィールドの値の組合せまたは各々が特定の値を示すか、またはある範囲内に含まれる場合、端末は該当ＤＣＩが半−持続的ＣＳＩ設定のためのものと判断することができる。多数の半−持続的ＣＳＩ設定が該当ＲＮＴＩと関連する場合、該当方式が利用できる。
【０４１６】
一例に、ＭＣＳフィールドが予約された値（reserved value）、ある特定値、特定値以上または以下を示す場合、端末は該当ＤＣＩが半−持続的ＣＳＩ設定のためのものと判断することができる。または、割り当てられたＲＢまたは転送可能なＴＢＳが一定値または一定値以下の場合、端末は該当ＤＣＩが半−持続的ＣＳＩ設定のためのものと判断することができる。具体的な例に、多数の半−持続的ＣＳＩ設定が１つのＲＮＴＩと関連した場合、ＨＡＲＱプロセスフィールドなどを通じて多数の半−持続的ＣＳＩ設定のうちの１つが指示されることもできる。
【０４１７】
（第３実施形態）
【０４１８】
また、次世代のシステム（例：ＮＲシステム）では端末が使用する周波数帯域幅を帯域幅部分（Bandwidth part、ＢＷＰ）単位で端末−特定（UE-specific）に割り当てることが考慮できる。したがって、端末が用いる周波数資源は基地局のシグナリングまたは予め定義されたタイマー（timer）などによって変更できる。
【０４１９】
この際、端末が用いる資源が半−静的な設定（semi-static configuration）（即ち、上位階層シグナリング）及び／又は物理階層シグナリング（例：Ｌ１シグナリング）を通じて予め設定される場合、動的に変更されたＢＷＰにより端末が該当資源を利用できなくなることがある。即ち、端末に設定された資源とは別個に動的なシグナリングなどを通じてＢＷＰが変更される場合、該当端末が予め設定された資源を利用できないことがある。このような点を考慮して、次のような方法が考慮できる。
【０４２０】
（方法１）
【０４２１】
具体的に、端末に半−静的な設定（semi-static configuration）（例：ＲＲＣシグナリング）及び／又は物理階層シグナリング（例：Ｌ１シグナリング）を通じてアップリンク／ダウンリンク資源（UL／DL resource）を割り当てる場合を仮定する。
【０４２２】
この際、半−持続的ＣＳＩ報告（semi-persistent CSI report）に用いられるアップリンク資源（UL resource）及び／又はＣＳＩ測定（CSI measurement）に用いられる参照信号（reference signal）を割り当てる場合、各資源及び／又は参照信号を多数割り当てて、端末が利用可能な互いに異なるＢＷＰで使われるものでありうる。即ち、多数の資源及び／又は多数の参照信号が端末が利用可能な互いに異なるＢＷＰ（即ち、端末が用いるように設定を受けた互いに異なるＢＷＰ）に各々割り当てできる。この際、多数の資源及び／又は多数の参照信号の各々は１つ以上のＢＷＰに（重複して）割り当てられることもできる。
【０４２３】
このような場合、ＢＷＰの活性化及び半−持続的ＣＳＩ設定の活性化と関連して、次のような方法１−１及び１−２が考慮できる。
【０４２４】
（方法１−１）
【０４２５】
前述した方法１を用いるに当たって、端末が利用可能なＵＬ／ＤＬ資源の候補（candidates）のうちの一部を物理階層シグナリング（例：Ｌ１シグナリング）を通じて活性化するか、または上位階層シグナリング（higher layer signaling）を通じて端末が利用可能なＵＬ／ＤＬ資源を割り当てる場合を仮定する。この際、ＢＷＰ別に端末が利用可能な多数のＵＬ／ＤＬ資源を活性化／不活性化（activation／configuration）し、該当端末は活性化されたＢＷＰ（即ち、active BWP）のＵＬ／ＤＬ資源を用いるように設定できる。
【０４２６】
具体的に、ＢＷＰ別に端末が利用可能な多数のＵＬ／ＤＬ資源設定（特に、半−持続的ＣＳＩ設定またはＳＰＳ及び／又はgrant-freeのためのＰＵＳＣＨ設定）が存在する場合、該当端末は設定されたまたは活性化された設定のうち、活性化されたＢＷＰに存在するＵＬ／ＤＬ資源のみ用いるように設定できる。
【０４２７】
言い換えると、ＣＳＩ設定（CSI configruation）を用いる場合、端末はＣＳＩ測定及び／又は報告に用いるＵＬ／ＤＬ資源を多数のＢＷＰに亘って設定を受けることができる。この際、各半−持続的ＣＳＩ設定はこれと関連したＢＷＰの活性化するか否かにかかわらず活性化されることができ、端末は活性化されたＢＷＰのみでＣＳＩ測定及び／又は報告動作を遂行するように設定できる。
【０４２８】
この際、利用可能なＵＬ／ＤＬ資源は、候補（candidates）のうち、選択的に活性化できる。基地局は活性化される資源集合（resource set）をシグナリング（例：ＭＡＣ  ＣＥ、ＤＣＩなど）を通じて端末に指示することができる。
【０４２９】
即ち、ＢＷＰの活性化するか否かにかかわらず、各設定（例：半−持続的ＣＳＩ設定またはＳＰＳ及び／又はgrant-free設定など）は同時にまたは別途に活性化できる。また、各設定は関連したＢＷＰ情報またはインデックスを含むことができる。端末はＢＷＰが活性化／不活性化される時、活性化されたＢＷＰと関連した活性化された設定のみ利用可能に設定できる。
【０４３０】
（方法１−２）
【０４３１】
または、前述した方法１を用いるに当たって、利用可能なＵＬ／ＤＬ資源（または、ＵＬ／ＤＬ資源候補）がＢＷＰの活性化／不活性化によって自動的に活性化／不活性化されることもできる。
【０４３２】
端末が利用可能なＵＬ／ＤＬ資源の候補（candidates）のうちの一部を物理階層シグナリング（例：Ｌ１シグナリング）を通じて活性化するか、または上位階層シグナリング（higher layer signaling）を通じて端末が利用可能なＵＬ／ＤＬ資源を割り当てる場合を仮定する。この際、ＢＷＰが活性化／不活性化される時、これと関連したＵＬ／ＤＬ資源設定（特に、半−持続的ＣＳＩ設定またはＳＰＳ及び／又はgrant-free PUSCH設定）が自動的に活性化／不活性化できる。
【０４３３】
例えば、端末がＵＬ／ＤＬ転送のためのＢＷＰの設定を受けて、ＣＳＩ設定（例：ＣＳＩ報告設定、ＣＳＩ−ＲＳ資源設定など）の設定を受けた場合、ＣＳＩ設定のうち、該当ＢＷＰと関連している設定は該当ＢＷＰの活性化／不活性化するか否かによって活性化／不活性化できる。
【０４３４】
このような方式の場合、ＣＳＩ設定に対する活性化／不活性化を指示する追加的なシグナリングが不必要であるので、シグナリングオーバーヘッド面での長所がある。また、端末がＢＷＰの活性化／不活性化によってＣＳＩ設定の活性化／不活性化を判断するので、端末の動作複雑度が低くなる長所もある。
【０４３５】
（方法２）
【０４３６】
また、端末が多数のＢＷＰまたはＢＷＰ候補の割り当てを受けた時、端末に半−静的な設定（semi-static configuration）（例：ＲＲＣシグナリング）及び／又は物理階層シグナリング（例：Ｌ１シグナリング）を通じてアップリンク／ダウンリンク資源（UL／DL resource）を割り当てる場合を仮定する。
【０４３７】
この際、ＳＰＳ及び／又はgrant-free転送または半−持続的ＣＳＩ報告（semi-persistent CSI report）に用いられるアップリンク資源（UL resource）を割り当てる場合、ＰＵＳＣＨまたはＰＤＳＣＨの割り当てのためのＤＣＩは端末が割り当てを受けた全てのＢＷＰまたは全てのＢＷＰ候補に同時に適用されるか、または資源割り当てのために利用できる。
【０４３８】
一例に、端末が半−持続的ＣＳＩ設定のために受信した物理階層活性化シグナリング（例：L1 activation signaling）に含まれた資源設定は、端末が割り当てを受けた一部または全体のＢＷＰ／ＢＷＰ候補になることができる。この際、互いに異なるＢＷＰの長さ（例：Ｎ^ＢＷＰ＿ＲＢ）は最も小さなＢＷＰを基準に設定できる。
【０４３９】
前述した第３実施形態での方法と関連して次のような内容も考慮できる。
【０４４０】
ＳＲ（scheduling request）、ＳＰＳ及び／又はgrant-free構成及び半−持続的ＣＳＩ（ＳＰ−ＣＳＩ）構成を含んだ半−静的な資源構成はＢＷＰの変更に影響を受けることがある。特に、ＳＰＳ及び／又はgrant-freeのようなＰＵＳＣＨ構成、活性化された／変更されたＢＷＰは以前に活性化されたＢＷＰと異なる数の資源ブロック（resource block、ＲＢ）を有することができる。この場合、以前のＢＷＰに割り当てられたＰＵＳＣＨは不活性化または変更される必要がある。即ち、ＢＷＰが不活性化されれば、関連構成された（related configured）資源が自動で不活性化されるか、または利用不可能に設定できる。
【０４４１】
このような構成の円滑な作動のために、端末は多数のＢＷＰ及び／又はＢＷＰ候補に亘って多数のＵＬ資源集合の設定を受けることができる。この場合、ＢＷＰが活性化（または、不活性化）される時、関連したＵＬ資源も利用可能（または、利用不可能）である。その他にも、資源集合内のＵＬ資源のサブ集合（subset）は上位階層シグナリング及び／又は物理階層シグナリング（例：Ｌ１シグナリング）により使用可能または使用不可能に設定または指示できる。この場合、使用可能なＵＬ資源のみが端末の可用資源に変更できる。
【０４４２】
これと関連して、次のような方法が考慮できる。
【０４４３】
まず、類型１資源構成の場合、構成されたＵＬ  ＢＷＰ別に別途の資源構成が利用できる。この際、現在活性ＵＬ  ＢＷＰの構成は類型１資源に対して有効であると仮定することができる。
【０４４４】
これとは異なり、類型２の資源構成の場合、次のような２つ方式が考慮できる。
【０４４５】
まず、有効性検査（validity check）は現在活性ＵＬ  ＢＷＰのみに適用され、活性ＵＬ  ＢＷＰが変更されれば、以前に活性化された類型２の資源が自動で無効化されると見なすことができる。この場合、類型２の資源に対して新たな活性ＵＬ  ＢＷＰに対する新たな有効性検査が必要でありうる。物理階層シグナリング（例：Ｌ１信号）基盤の活性化を基盤にする場合、これと類似の方式は半−持続的ＣＳＩ  ＰＳＵＣＨ（ＳＰ−ＣＳＩ  ＰＵＳＣＨ）にも適用できる。
【０４４６】
または、類型２の資源の有効性を確認すれば、多数の資源（各ＢＷＰ当たり１つの資源）に対する活性化が考慮されることもできる。例えば、少なくともＰＵＳＣＨ資源はＢＷＰ別に半−静的に構成され、物理階層シグナリング（Ｌ１シグナリング）は多数のＢＷＰで活性化される資源を指示するために利用できる。
【０４４７】
この場合、資源を活性化／不活性化するＢＷＰのインデックスと共に有効性検査／無効化ＤＣＩを転送する方法が追加的に考慮できる。例えば、類型２の資源またはＳＰ−ＣＳＩ  ＰＵＳＣＨの有効性／無効化は物理階層信号（例：Ｌ１信号）のみにより有効化／無効化されることができ、ＢＷＰ転換に対する仮定は考慮できないことがある。また、有効化／無効化シグナリングは不活性ＢＷＰの資源を活性化／不活性化するＢＷＰインデックスを含むこともできる。また、ＢＷＰ転換（switching）が発生すれば、端末は既に活性化された場合、類型２の資源を、またはＳＰ−ＣＳＩ  ＰＵＳＣＨが有効であると仮定することができる。
【０４４８】
（第４実施形態）
【０４４９】
また、ＣＳＩ転送（即ち、ＣＳＩ報告）及び測定のためのＵＬ／ＤＬ資源設定（UL／DL resource configuration）は柔軟なスロット（flexible slot）で、動的なＳＦＩ（dynamic SFI）によりＵＬまたはＤＬに指示される時、該当資源が利用可能なことと設定できる。しかしながら、端末が多数の資源を１つの転送に使用する場合、全体資源が使用可能でない場合、即ち、転送に用いられるＵＬ／ＤＬ資源のうち、全てのスロット（slot）／ミニスロット（mini-slot）／シンボル（symbol）が全部ＵＬ／ＤＬ資源に指示されない場合、端末は該当資源の全体を利用不可であると判断しなければならないことがある。
【０４５０】
このような点を考慮して、次のような方法１及び２が考慮できる。
【０４５１】
（方法１）
【０４５２】
基地局が端末に半−静的な設定（semi-static configuration）（例：ＲＲＣシグナリング）及び／又は物理階層シグナリング（例：Ｌ１シグナリング）を通じてアップリンク／ダウンリンク資源（UL／DL resource）を割り当てる場合を仮定する。特に、基地局が端末にＳＰＳ及び／又はgrant-free転送または半−持続的ＣＳＩ報告に用いられるＵＬ資源を割り当てる場合を仮定する。
【０４５３】
この際、端末が多数のスケジューリング単位（scheduling unit）に亘って転送を遂行する場合、全てのスケジューリング単位がＳＦＩまたは動的なスケジューリング（dynamic scheduling）によりＵＬ／ＤＬとして表れる時、端末は該当資源を利用可能であると判断するように設定できる。
【０４５４】
（方法２）
【０４５５】
基地局が端末に半−静的な設定（semi-static configuration）（例：ＲＲＣシグナリング）及び／又は物理階層シグナリング（例：Ｌ１シグナリング）を通じてアップリンク／ダウンリンク資源（Ul／DL resource）を割り当てる場合を仮定する。特に、基地局が端末にＳＰＳ及び／又はgrant-free転送または半−持続的ＣＳＩ報告に用いられるＵＬ資源を割り当てる場合を仮定する。
【０４５６】
この際、端末が多数のスケジューリング単位（scheduling unit）に亘って転送を遂行する場合、該当設定は動的なスケジューリングまたは動的なＳＦＩに変更できない半−静的なＳＦＩと見なされることもある。
【０４５７】
（第５実施形態）
【０４５８】
また、前述したように、ＣＳＩ転送のためにはＣＳＩ測定のための参照信号、ＣＳＩ報告転送（即ち、ＣＳＩ報告）のためのＵＬ資源及び該当ＵＬ資源にどんな参照信号の情報を伝達することかに対する連結（link）情報が必要でありうる。
【０４５９】
したがって、あるＣＳＩ報告機会（CSI report occasion）のＣＳＩ報告のためのＵＬ資源とこれに連結された参照信号が両方とも有効な場合のみに、端末はＣＳＩ転送を遂行することができる。
【０４６０】
この際、前記ＵＬ資源及びこれと連結された参照信号のうちの１つまたは両方とも有効でない場合、次のような方法が考慮できる。
【０４６１】
まず、ＣＳＩ報告機会（CSI report occasion）にＣＳＩ報告のためのＵＬ資源は有効であり、これと連結された参照信号が有効でない場合に対して説明する。この場合、端末は以前に転送したＣＳＩ報告をまた転送するか、または該当ＣＳＩ報告を転送しないように設定できる。特に、端末がＳＦＩを受信できなくて参照信号が有効でない場合、該当端末は以前に転送したＣＳＩ報告をまた転送するように設定できる。
【０４６２】
この際、ＣＳＩ報告のためのＵＬ資源と連結された（linked）参照信号が有効でない場合、端末は最も関連した、または隣接するように配置された利用可能な参照信号（available reference signal）を用いるように設定できる。
【０４６３】
また、ＣＳＩ報告機会（CSI report occasion）にＣＳＩ報告のためのＵＬ資源は有効でなく、これと連結された参照信号も有効でない場合、端末は該当ＣＳＩ報告を転送しないことがある。即ち、この場合、端末は基地局に対して該当ＣＳＩ報告を遂行しないことがある。
【０４６４】
また、ＣＳＩ報告機会（CSI report occasion）にＣＳＩ報告のためのＵＬ資源は有効でなく、これと連結された参照信号も有効な場合、端末は該当ＣＳＩ報告を転送しないことがある。即ち、この場合、端末は基地局に対して該当ＣＳＩ報告を遂行しないことがある。
【０４６５】
図１１は、本明細書で提案する方法が適用できる無線通信システムにおけるチャンネル状態情報報告（ＣＳＩ報告）を遂行する端末の動作フローチャートを示す。図１１は単に説明の便宜のためのものであり、本発明の範囲を制限するのではない。
【０４６６】
図１１を参考すると、基地局及び／又は端末は本明細書で提案する実施形態で説明された方法（特に、第３実施形態での方法）に基づいてＣＳＩ測定及び／又は報告を遂行する場合が仮定される。
【０４６７】
まず、端末は基地局からＵＬ及び／又はＤＬ転送のための帯域幅部分（ＢＷＰ）に対するＢＷＰ設定情報を受信することができる（ステップＳ１１０５）。この場合、該当ＢＷＰ設定情報には１つ以上のＢＷＰが設定されることができ、１つ以上のＢＷＰのうち、少なくとも１つが活性ＢＷＰに設定できる。ＢＷＰ設定情報は各ＢＷＰに対する識別子（ＩＤ）で構成できる。
【０４６８】
端末は基地局からＣＳＩ報告のための報告設定（reporting configuration）（または、報告構成）を含む報告設定情報（reporting configuration information）を受信することができる（ステップＳ１１１０）。ここで、該当報告設定はＣＳＩ報告設定と称されることができ、１つ以上の報告設定を含むことができる。この場合、各報告設定はＣＳＩ測定のための資源設定（resource configuration）（例：ＣＳＩ−ＲＳ設定）及びＢＷＰと関連関係を有することができる。
【０４６９】
この後、端末は基地局から受信したＢＷＰ設定情報及び報告設定情報に基づいて、ＣＳＩ報告を遂行することができる（ステップＳ１１１５）。
【０４７０】
この際、基地局から受信した報告設定と基地局から受信したＢＷＰが関連することができ、この場合、該当報告設定の活性化するか否かは該当ＢＷＰの活性化するか否かに基づいて決定できる。例えば、前述した第３実施形態での方法１−２のように、ＢＷＰが活性化／不活性化される時、これと関連したＵＬ／ＤＬ資源設定（特に、半−持続的ＣＳＩ設定またはＳＰＳ及び／又はgrant-free PUSCH設定）が自動的に活性化／不活性化できる。この場合、該当ＢＷＰの活性化するか否かは基地局による動的なシグナリング（dynamic signaling）（例：ＤＣＩ）を通じて設定できる。
【０４７１】
また、図１１でのＣＳＩ報告は半−持続的に設定されたＣＳＩ報告、即ち、ＳＰ−ＣＳＩ報告でありえ、該当ＣＳＩ報告はＰＵＳＣＨまたはＰＵＣＣＨを介して遂行できる。
【０４７２】
また、図１１での報告設定はＣＳＩ報告と関連した資源設定情報（例：ＣＳＩ測定のためのＣＳＩ−ＲＳ資源設定など）を含むことができ、該当資源設定情報はこれと関連したＢＷＰに対する情報（例：ＢＷＰ識別子）を含むこともできる。
【０４７３】
これと関連して、該当端末は図１３及び図１４に示すような装置で構成できる。このような点を考慮する時、前述した図１１での動作は図１３及び図１４に表れた装置により遂行できる。
【０４７４】
例えば、プロセッサ１３２１（及び／又はプロセッサ１４１０）は基地局からＵＬ及び／又はＤＬ転送のための帯域幅部分（ＢＷＰ）に対するＢＷＰ設定情報を受信することができる（ステップＳ１１０５）。また、プロセッサ１３２１（及び／又はプロセッサ１４１０）は基地局からＣＳＩ報告のための報告設定（reporting configuration）（または、報告構成）を含む報告設定情報（reporting configuration information）を受信することができる（ステップＳ１１１０）。また、プロセッサ１３２１（及び／又はプロセッサ１４１０）は基地局から受信したＢＷＰ設定情報及び報告設定情報に基づいて、ＣＳＩ報告を遂行することができる（ステップＳ１１１５）。
【０４７５】
図１２は、本明細書で提案する方法が適用できる無線通信システムにおけるチャンネル状態情報報告（ＣＳＩ報告）を受信する基地局の動作フローチャートを示す。図１２は単に説明の便宜のためのものであり、本発明の範囲を制限するのでない。
【０４７６】
図１２を参考すると、基地局及び／又は端末は本明細書で提案する実施形態で説明された方法（特に、第３実施形態での方法）に基づいてＣＳＩ測定及び／又は報告を遂行する場合が仮定される。
【０４７７】
まず、基地局は端末にＵＬ及び／又はＤＬ転送のための帯域幅部分（ＢＷＰ）に対するＢＷＰ設定情報を転送することができる（ステップＳ１２０５）。この場合、該当ＢＷＰ設定情報には１つ以上のＢＷＰが設定されることができ、１つ以上のＢＷＰのうち、少なくとも１つが活性ＢＷＰに設定できる。ＢＷＰ設定情報は各ＢＷＰに対する識別子（ＩＤ）で構成できる。
【０４７８】
基地局は端末にＣＳＩ報告のための報告設定（reporting configuration）（または、報告構成）を含む報告設定情報（reporting configuration information）を転送することができる（ステップＳ１２１０）。ここで、該当報告設定はＣＳＩ報告設定と称されることができ、１つ以上の報告設定を含むことができる。この場合、各報告設定はＣＳＩ測定のための資源設定（resource configuration）（例：ＣＳＩ−ＲＳ設定）及びＢＷＰと関連関係を有することができる。
【０４７９】
この後、基地局は端末から前記ＢＷＰ設定情報及び報告設定情報に基づいて（遂行された）ＣＳＩ報告を受信することができる（ステップＳ１２１５）。
【０４８０】
この際、前記報告設定と前記ＢＷＰが関連することができ、この場合、該当報告設定の活性化するか否かは該当ＢＷＰの活性化するか否かに基づいて決定できる。例えば、前述した第３実施形態での方法１−２のように、ＢＷＰが活性化／不活性化される時、これと関連したＵＬ／ＤＬ資源設定（特に、半−持続的ＣＳＩ設定またはＳＰＳ及び／又はgrant-free PUSCH設定）が自動的に活性化／不活性化できる。この場合、該当ＢＷＰの活性化するか否かは基地局による動的なシグナリング（dynamic signaling）（例：ＤＣＩ）を通じて設定できる。
【０４８１】
また、図１２でのＣＳＩ報告は半−持続的に設定されたＣＳＩ報告、即ち、ＳＰ−ＣＳＩ報告でありえ、該当ＣＳＩ報告はＰＵＳＣＨまたはＰＵＣＣＨを介して送受信できる。
【０４８２】
また、図１２での報告設定はＣＳＩ報告と関連した資源設定情報（例：ＣＳＩ測定のためのＣＳＩ−ＲＳ資源設定など）を含むことができ、該当資源設定情報はこれと関連したＢＷＰに対する情報（例：ＢＷＰ識別子）を含むこともできる。
【０４８３】
これと関連して、該当基地局は図１３に示すような装置で構成できる。このような点を考慮する時、前述した図１２での動作は図１３に示した装置により遂行できる。
【０４８４】
例えば、プロセッサ１３１１は端末にＵＬ及び／又はＤＬ転送のための帯域幅部分（ＢＷＰ）に対するＢＷＰ設定情報を転送することができる（ステップＳ１２０５）。また、プロセッサ１３１１は端末にＣＳＩ報告のための報告設定（reporting configuration）（または、報告構成）を含む報告設定情報（reporting configuration information）を転送することができる（ステップＳ１２１０）。また、プロセッサ１３１１は端末から前記ＢＷＰ設定情報及び報告設定情報に基づいて（遂行された）ＣＳＩ報告を受信することができる（ステップＳ１２１５）。
【０４８５】
前述した図１１及び図１２のように基地局及び／又は端末が動作する場合、ＣＳＩ設定に対する活性化／不活性化を指示する追加的なシグナリングが不必要であるので、シグナリングオーバーヘッド面での長所がある。また、端末がＢＷＰの活性化／不活性化によってＣＳＩ設定の活性化／不活性化を判断するので、端末の動作複雑度が低くなる長所もある。
【０４８６】
本発明が適用できる装置一般
【０４８７】
図１３は、本明細書で提案する方法が適用できる無線通信装置のブロック構成図を例示する。
【０４８８】
図１３を参照すると、無線通信システムは、基地局１３１０と基地局１３１０領域内に位置した多数の端末１３２０を含む。
【０４８９】
基地局１３１０は、プロセッサ（processor）１３１１、メモリ（memory）１３１２、及びＲＦ部（radio frequency unit）１３１３を含む。プロセッサ１３１１は先の図１乃至図１２で提案された機能、過程及び／又は方法を具現する。無線インターフェースプロトコルの階層はプロセッサ１３１１により具現できる。メモリ１３１２はプロセッサ１３１１と連結されて、プロセッサ１３１１を駆動するための多様な情報を格納する。ＲＦ部１３１３はプロセッサ１３１１と連結されて、無線信号を送信及び／又は受信する。
【０４９０】
端末１３２０は、プロセッサ１３２１、メモリ１３２２、及びＲＦ部１３２３を含む。
【０４９１】
プロセッサ１３２１は先の図１乃至図１２で提案された機能、過程及び／又は方法を具現する。無線インターフェースプロトコルの階層はプロセッサ１３２１により具現できる。メモリ１３２２はプロセッサ１３２１と連結されて、プロセッサ１３２１を駆動するための多様な情報を格納する。ＲＦ部１３２３はプロセッサ１３２１と連結されて、無線信号を送信及び／又は受信する。
【０４９２】
メモリ１３１２、１３２２は、プロセッサ１３１１、１３２１の内部または外部にいることができ、よく知られた多様な手段によりプロセッサ１３１１、１３２１と連結できる。
【０４９３】
一例として、低遅延（low latency）サービスを支援する無線通信システムにおけるダウンリンクデータ（DL data）を送受信するために、端末は無線信号を送受信するためのＲＦ（Radio Frequency）ユニット、及び前記ＲＦユニットと機能的に連結されるプロセッサを含むことができる。
【０４９４】
また、基地局１３１０及び／又は端末１３２０は１つのアンテナ（single antenna）または多重アンテナ（multiple antenna）を有することができる。
【０４９５】
図１４は、本発明の一実施形態に従う通信装置のブロック構成図を例示する。
【０４９６】
特に、図１４では先の図１３の端末をより詳細に例示する図である。
【０４９７】
図１４を参照すると、端末は、プロセッサ（または、ディジタル信号プロセッサ（ＤＳＰ：digital signal processor）１４１０、ＲＦモジュール（RF module）（または、ＲＦユニット）１４３５、パワー管理モジュール（power management module）１４０５、アンテナ（antenna）１４４０、バッテリー（battery）１４５５、ディスプレイ（display）１４１５、キーパッド（keypad）１４２０、メモリ（memory）１４３０、ＳＩＭカード（SIM（Subscriber Identification Module）card）１４２５（この構成は選択的である）、スピーカー（speaker）１４４５、及びマイクロフォン（microphone）１４５０を含んで構成できる。また、端末は単一のアンテナまたは多重のアンテナを含むことができる。
【０４９８】
プロセッサ１４１０は、先の図１乃至図１２で提案された機能、過程及び／又は方法を具現する。無線インターフェースプロトコルの階層はプロセッサ１４１０により具現できる。
【０４９９】
メモリ１４３０はプロセッサ１４１０と連結され、プロセッサ１４１０の動作と関連した情報を格納する。メモリ１４３０はプロセッサ１４１０の内部または外部にいることができ、よく知られた多様な手段によりプロセッサ１４１０と連結できる。
【０５００】
ユーザは、例えば、キーパッド１４２０のボタンを押さえるか（または、タッチするか）、またはマイクロフォン１４５０を用いた音声駆動（voice activation）により電話番号などの命令情報を入力する。プロセッサ１４１０は、このような命令情報を受信し、電話番号に電話をかけるなど、適切な機能を遂行するように処理する。駆動上のデータ（operational data）はＳＩＭカード１４２５またはメモリ１４３０から抽出することができる。また、プロセッサ１４１０はユーザが認知し、また便宜のために命令情報または駆動情報をディスプレイ１４１５上にディスプレイすることができる。
【０５０１】
ＲＦモジュール１４３５はプロセッサ１４１０に連結されて、ＲＦ信号を送信及び／又は受信する。プロセッサ１４１０は通信を開始するために、例えば、音声通信データを構成する無線信号を転送するように命令情報をＲＦモジュール１４３５に伝達する。ＲＦモジュール１４３５は、無線信号を受信及び送信するために受信機（receiver）及び転送機（transmitter）で構成される。アンテナ１４４０は、無線信号を送信及び受信する機能をする。無線信号を受信する時、ＲＦモジュール１４３５はプロセッサ１４１０により処理するために信号を伝達し、基底帯域に信号を変換することができる。処理された信号はスピーカー１４４５を通じて出力される可聴または可読情報に変換できる。
【０５０２】
図１５は、本明細書で提案する方法が適用できる無線通信装置のＲＦモジュールの一例を示す図である。
【０５０３】
具体的に、図１５はＦＤＤ（Frequency Division Duplex）システムで具現できるＲＦモジュールの一例を示す。
【０５０４】
まず、転送経路で、図１３及び図１４で記述されたプロセッサは転送されるデータをプロセシングしてアナログ出力信号を送信機１５１０に提供する。
【０５０５】
送信機１５１０内で、アナログ出力信号はディジタル−対−アナログ変換（ＡＤＣ）により引き起こされるイメージを除去するために低域通過フィルタ（Low Pass Filter、ＬＰＦ）１５１１によりフィルタリングされ、上向き変換器（Mixer）１５１２により基底帯域からＲＦに上向き変換され、可変利得増幅器（Variable Gain Amplifier、ＶＧＡ）１５１３により増幅され、増幅された信号はフィルタ１５１４によりフィルタリングされ、電力増幅器（Power Amplifier、ＰＡ）１５１５により追加で増幅され、デュープレックサ１５５０／アンテナスイッチ１５６０を介してルーティングされ、アンテナ１５７０を介して転送される。
【０５０６】
また、受信経路で、アンテナは外部から信号を受信して、受信された信号を提供し、この信号はアンテナスイッチ１５６０／デュープレックサ１５５０を介してルーティングされ、受信機１５２０に提供される。
【０５０７】
受信機１５２０内で、受信された信号は低雑音増幅器（Low Noise Amplifier、ＬＮＡ）１５２３により増幅され、帯域通過フィルタ１５２４によりフィルタリングされ、下向き変換器（Mixer）１５２５によりＲＦから基底帯域に下向き変換される。
【０５０８】
前記下向き変換された信号は低域通過フィルタ（ＬＰＦ）１５２６によりフィルタリングされ、ＶＧＡ１５２７により増幅されてアナログ入力信号を獲得し、これは図１３及び図１４で記述されたプロセッサに提供される。
【０５０９】
また、ローカルオシレーター（local oscillator、ＬＯ）発生器１５４０は転送及び受信ＬＯ信号を発生、及び上向き変換器１５１２及び下向き変換器１５２５に各々提供する。
【０５１０】
また、位相固定ループ（Phase Locked Loop、ＰＬＬ）１５３０は適切な周波数で転送及び受信ＬＯ信号を生成するためにプロセッサから制御情報を受信し、制御信号をＬＯ発生器１５４０に提供する。
【０５１１】
また、図１５に図示された回路は図１５に図示された構成と異なるように配列されることもできる。
【０５１２】
図１６は、本明細書で提案する方法が適用できる無線通信装置のＲＦモジュールの更に他の一例を示す図である。
【０５１３】
具体的に、図１６はＴＤＤ（Time Division Duplex）システムで具現できるＲＦモジュールの一例を示す。
【０５１４】
ＴＤＤシステムでのＲＦモジュールの送信機１６１０及び受信機１６２０はＦＤＤシステムでのＲＦモジュールの送信機及び受信機の構造と同一である。
【０５１５】
以下、ＴＤＤシステムのＲＦモジュールはＦＤＤシステムのＲＦモジュールと差が出る構造に対してのみ説明し、同一な構造に対しては図１５の説明を参照する。
【０５１６】
送信機の電力増幅器（Power Amplifier、ＰＡ）１６１５により増幅された信号はバンド選択スイッチ（Band Select Switch）１６５０、バンド通過フィルタ（ＢＰＦ）１６６０、及びアンテナスイッチ１６７０を介してルーティングされ、アンテナ１６８０を介して転送される。
【０５１７】
また、受信経路で、アンテナは外部から信号を受信して、受信された信号を提供し、この信号はアンテナスイッチ１６７０、バンド通過フィルタ１６６０、及びバンド選択スイッチ１６５０を介してルーティングされ、受信機１６２０に提供される。
【０５１８】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０５１９】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはその以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラー、マイクロコントローラー、マイクロプロセッサなどにより具現できる。
【０５２０】
ファームウエアやソフトウェアによる具現の場合、本発明の一実施形態は以上で説明された機能または動作を遂行するモジュール、手続、関数などの形態に具現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０５２１】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０５２２】
本発明の無線通信システムにおけるチャンネル状態情報を送受信する方案は、３ＧＰＰ  ＬＴＥ／ＬＴＥ−Ａシステム、５Ｇシステム（New RATシステム）に適用される例を中心として説明したが、その他にも多様な無線通信システムに適用可能である。
【図１】
2021503814.tif 000059
【図２】
2021503814.tif 000060
【図３】
2021503814.tif 000061
【図４】
2021503814.tif 000062
【図５】
2021503814.tif 000063
【図６】
2021503814.tif 000064
【図７】
2021503814.tif 000065
【図８】
2021503814.tif 000066
【図９】
2021503814.tif 000067
【図１０】
2021503814.tif 000068
【図１１】
2021503814.tif 000069
【図１２】
2021503814.tif 000070
【図１３】
2021503814.tif 000071
【図１４】
2021503814.tif 000072
【図１５】
2021503814.tif 000073
【図１６】
2021503814.tif 000074
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
無線通信システムで端末がチャンネル状態情報（channel state information、ＣＳＩ）報告を遂行する方法において、
基地局から、アップリンク及びダウンリンク転送のための帯域幅部分（bandwidth part、ＢＷＰ）に対するＢＷＰ設定情報を受信するステップと、
前記基地局から、前記ＣＳＩ報告のための報告設定情報を受信するステップと、
前記ＢＷＰ設定情報及び前記報告設定情報に基づいて、前記ＣＳＩ報告を遂行するステップとを含み、
前記報告設定情報は前記帯域幅部分と関連し、
前記ＣＳＩ報告が実行されるかは前記帯域幅部分が活性化されるかに基づいて決定される、方法。
【請求項２】
前記ＣＳＩ報告は半−持続的（semi-persistent）に設定されたＣＳＩ報告である、請求項１に記載の方法。
【請求項３】
前記ＣＳＩ報告は物理アップリンク共有チャンネルを介して遂行される、請求項２に記載の方法。
【請求項４】
前記帯域幅部分が不活性化されることに基づいて、前記ＣＳＩ報告は遂行されない、請求項２に記載の方法。
【請求項５】
前記帯域幅部分を活性化するかは前記基地局による動的なシグナリングを通じて設定される、請求項４に記載の方法。
【請求項６】
前記報告設定情報は前記ＣＳＩ報告と関連した資源設定情報を含み、
前記資源設定情報は前記帯域幅部分に対する情報を含む、請求項２に記載の方法。
【請求項７】
無線通信システムで基地局がチャンネル状態情報（channel state information、ＣＳＩ）を受信する方法において、
端末にアップリンク及びダウンリンク転送のための帯域幅部分（bandwidth part、ＢＷＰ）に対するＢＷＰ設定情報を転送するステップと、
前記端末に前記ＣＳＩ報告のための報告設定情報を転送するステップと、
前記端末から、前記ＢＷＰ設定情報及び前記報告設定情報に基づいて前記ＣＳＩ報告を受信するステップとを含み、
前記報告設定情報は前記帯域幅部分と関連し、
前記ＣＳＩ報告が遂行されるかは前記帯域幅部分が活性化されるかに基づいて決定される、方法。
【請求項８】
前記ＣＳＩ報告は半−持続的（semi-persistent）に設定されたＣＳＩ報告である、請求項７に記載の方法。
【請求項９】
前記ＣＳＩ報告は物理アップリンク共有チャンネルを介して遂行される、請求項８に記載の方法。
【請求項１０】
前記帯域幅部分が不活性化されることに基づいて、前記ＣＳＩ報告は遂行されない、請求項８に記載の方法。
【請求項１１】
前記帯域幅部分を活性化するかは前記基地局による動的なシグナリングを通じて設定される、請求項１０に記載の方法。
【請求項１２】
前記報告設定情報は前記ＣＳＩ報告と関連した資源設定情報を含み、
前記資源設定情報は前記帯域幅部分に対する情報を含む、請求項８に記載の方法。
【請求項１３】
無線通信システムでチャンネル状態情報（channel state information、ＣＳＩ）報告（report）を遂行する端末において、
無線信号を送受信するためのＲＦ（Radio Frequency）ユニットと、
前記ＲＦユニットと機能的に連結されているプロセッサとを含み、
前記プロセッサは、
基地局から、アップリンク及びダウンリンク転送のための帯域幅部分（bandwidth part、ＢＷＰ）に対するＢＷＰ設定情報を受信し、
前記基地局から、前記ＣＳＩ報告のための報告設定情報を受信し、
前記ＢＷＰ設定情報及び前記報告設定情報に基づいて、前記ＣＳＩ報告を遂行するように制御し、
前記報告設定情報は前記帯域幅部分と関連し、
前記ＣＳＩ報告が遂行されるかは前記帯域幅部分が活性化されるかに基づいて決定される、端末。
【請求項１４】
前記ＣＳＩ報告は半−持続的（semi-persistent）に設定されたＣＳＩ報告である、請求項１３に記載の端末。
【請求項１５】
前記ＣＳＩ報告は物理アップリンク共有チャンネルを介して遂行される、請求項１４に記載の端末。
【国際調査報告】
2021503814.tif 000075
2021503814.tif 000076
2021503814.tif 000077
2021503814.tif 000078